(57)【要約】【課題】複数人で一台の車両を同乗利用する場合等におけるユーザの利便性を向上させることが可能な鍵情報管理装置等を提供する。【解決手段】携帯端末が車両に向けて所定の送信信号を送信することにより車両を解錠又は起動させるための鍵情報を携帯端末に配信する鍵情報配信部を備え、鍵情報配信部は、複数の携帯端末のそれぞれに、利用可能な時期が重複する鍵情報を配信する、鍵情報管理装置が提供される。また、携帯端末に設けられる鍵情報共有装置により実行される鍵情報共有方法であって、外部装置から配信される、車両に向けて所定の送信信号が送信されることにより車両を解錠又は起動させるための鍵情報を取得する鍵情報取得ステップと、携帯端末に対するユーザの所定操作に応じて、鍵情報を他の携帯端末に送信する、又は、外部装置から配信させる鍵情報共有ステップと、を含む、鍵情報共有方法が提供される。【選択図】図１
2019078072.tif 000002
【特許請求の範囲】
【請求項１】
携帯端末が車両に向けて所定の送信信号を送信することにより前記車両を解錠又は起動させるための鍵情報を前記携帯端末に配信する鍵情報配信部を備え、
前記鍵情報配信部は、複数の前記携帯端末のそれぞれに、利用可能な時期が重複する前記鍵情報を配信する、
鍵情報管理装置。
【請求項２】
前記鍵情報配信部は、前記鍵情報を前記複数の前記携帯端末のそれぞれに配信するように要求する要求信号が受信された場合、前記要求信号で指定される利用可能な期間又は回数に関する権限、若しくは、車両の解錠又は起動に関する権限が付与された前記鍵情報を前記複数の前記携帯端末に配信する、
請求項１に記載の鍵情報管理装置。
【請求項３】
前記複数の前記携帯端末のそれぞれのユーザに関する属性情報を記憶する記憶部を備え、
前記鍵情報配信部は、前記複数の携帯端末のうち、前記属性情報に基づき、前記車両を運転できないと判断されるユーザの携帯端末に、前記車両の起動が不可能な権限が付与された前記鍵情報を配信する、
請求項１又は２に記載の鍵情報管理装置。
【請求項４】
鍵情報管理装置が実行する鍵情報管理方法であって、
携帯端末が車両に向けて所定の送信信号を送信することにより前記車両を解錠又は起動させるための鍵情報を前記携帯端末に配信する鍵情報配信ステップを含み、
前記鍵情報配信ステップでは、複数の前記携帯端末のそれぞれに、利用可能な時期が重複する前記鍵情報を配信する、
鍵情報管理方法。
【請求項５】
情報処理装置に、
携帯端末が車両に向けて所定の送信信号を送信することにより前記車両を解錠又は起動させるための鍵情報を前記携帯端末に配信する鍵情報配信ステップであって、複数の前記携帯端末のそれぞれに、利用可能な時期が重複する前記鍵情報を配信する鍵情報配信ステップを、実行させる、
鍵情報管理プログラム。
【請求項６】
携帯端末に設けられる鍵情報共有装置により実行される鍵情報共有方法であって、
外部装置から配信される、車両に向けて所定の送信信号が送信されることにより前記車両を解錠又は起動させるための鍵情報を取得する鍵情報取得ステップと、
前記携帯端末に対するユーザの所定操作に応じて、前記鍵情報を他の携帯端末に送信する、又は、前記外部装置から配信させる鍵情報共有ステップと、を含む、
鍵情報共有方法。
【請求項７】
前記鍵情報共有ステップでは、利用可能な時間又は利用可能な回数が制限された前記鍵情報を前記他の携帯端末に送信する、又は、前記外部装置から配信させる、
請求項６に記載の鍵情報共有方法。
【請求項８】
前記外部装置から前記携帯端末の現在位置の周辺において、前記他の携帯端末の候補になる候補端末に関する候補端末情報を取得する候補端末情報取得ステップを更に含み、
前記鍵情報共有ステップでは、前記候補端末情報に基づき、前記候補端末の中から特定された前記他の携帯端末に前記外部装置から前記鍵情報を配信させる、
請求項６又は７に記載の鍵情報共有方法。
【請求項９】
前記他の携帯端末から所定の識別情報を取得する識別情報取得ステップを更に含み、
前記鍵情報共有ステップでは、前記識別情報に基づき、前記外部装置から前記他の携帯端末に前記鍵情報を配信させる、
請求項６乃至８の何れか一項に記載の鍵情報共有方法。
【請求項１０】
前記鍵情報共有ステップでは、前記他の携帯端末に対応するユーザのメールアドレス、又は、所定のソーシャルネットワーキングサービスのアカウントに、前記外部装置から前記鍵情報を取得するための所定のアプリを起動させる、ＵＲＬスキームによるリンク情報を送信することにより、前記外部装置から前記他の携帯端末に前記鍵情報を配信させる、
請求項６乃至９の何れか一項に記載の鍵情報共有方法。
【請求項１１】
携帯端末に設けられる情報処理装置に、
外部装置から配信される、車両に向けて所定の送信信号が送信されることにより前記車両を解錠又は起動させるための鍵情報を取得する鍵情報取得ステップと、
前記携帯端末に対するユーザの所定操作に応じて、前記鍵情報を他の携帯端末に送信する、又は、前記外部装置から配信させる鍵情報共有ステップと、を実行させる、
鍵情報共有プログラム。
【発明の詳細な説明】
【技術分野】
【０００１】
本発明は、鍵情報管理装置等に関する。
【背景技術】
【０００２】
例えば、サーバから送信される鍵情報を携帯端末で受信し、携帯端末を電子キーとして利用可能な鍵情報管理システムが開示されている（特許文献１等参照）。
【先行技術文献】
【特許文献】
【０００３】
【特許文献１】特開２００６−１１８１２２号公報
【発明の概要】
【発明が解決しようとする課題】
【０００４】
しかしながら、鍵情報が一つの携帯端末にしか配信されない場合、例えば、複数人で車両に同乗して旅行やキャンプ等に出かけるときに、任意の一人が車両の解錠を行いたいような状況において、鍵情報が配信済の携帯端末を貸し借りする必要がある。そのため、ユーザの利便性の観点で改善の余地がある。
【０００５】
そこで、上記課題に鑑み、複数人で一台の車両を同乗利用する場合等におけるユーザの利便性を向上させることが可能な鍵情報管理装置等を提供することを目的とする。
【課題を解決するための手段】
【０００６】
上記目的を達成するため、本発明の一実施形態では、
携帯端末が車両に向けて所定の送信信号を送信することにより前記車両を解錠又は起動させるための鍵情報を前記携帯端末に配信する鍵情報配信部を備え、
前記鍵情報配信部は、複数の前記携帯端末のそれぞれに、利用可能な時期が重複する前記鍵情報を配信する、
鍵情報管理装置が提供される。
【０００７】
本実施形態によれば、鍵情報管理装置は、複数の携帯端末に一台の車両に対応し、且つ、利用可能な時期が重複する鍵情報を配信できるため、複数の携帯端末のそれぞれのユーザに当該車両を解錠させたり、起動させたりすることができる。従って、鍵情報管理装置は、複数人で一台の車両を同乗利用する場合等におけるユーザの利便性を向上させることができる。
【０００８】
また、上述した実施形態において、
前記鍵情報配信部は、前記複数の携帯端末ごとに、前記車両の解錠又は起動に関する権限が付与された前記鍵情報を前記複数の携帯端末に配信してもよい。
【０００９】
本実施形態によれば、鍵情報管理装置は、複数の携帯端末ごとに、配信される鍵情報の車両の解錠又は起動に関する権限を異ならせることができる。そのため、鍵情報管理装置は、例えば、車両のオーナユーザの携帯端末には、車両の全てのドアの解錠及び車両の起動が可能な権限が付与された鍵情報を配信し、それ以外のユーザの携帯端末には、一部のドアの解錠だけが可能な権限が付与された鍵情報を付与することができる。従って、鍵情報管理装置は、車両のセキュリティ性を維持しつつ、複数人で一台の車両を同乗利用する場合等の全ユーザの利便性を向上させることができる。
【００１０】
また、上述した実施形態において、
前記複数の携帯端末のそれぞれのユーザに関する属性情報を記憶する記憶部を備え、
前記鍵情報配信部は、前記複数の携帯端末のうち、前記属性情報に基づき、前記車両を運転できないと判断されるユーザの携帯端末に、前記車両の起動が不可能な権限が付与された前記鍵情報を配信してもよい。
【００１１】
本実施形態によれば、鍵情報管理装置は、例えば、運転免許証の取得可能な年齢未満のユーザや運転免許証を取得していないユーザ等の携帯端末に、車両の起動が不可能な権限が付与された鍵情報を配信できる。従って、鍵情報管理装置は、車両の安全性を維持しつつ、複数人で一台の車両を同乗利用する場合等の全ユーザの利便性を向上させることができる。
【００１２】
また、本発明の他の実施形態は、鍵情報管理方法及び鍵情報管理プログラムにより実現されうる。
【００１３】
また、本発明の更に他の実施形態では、
携帯端末に設けられる鍵情報共有装置により実行される鍵情報共有方法であって、
外部装置から配信される、車両に向けて所定の送信信号が送信されることにより前記車両を解錠又は起動させるための鍵情報を取得する鍵情報取得ステップと、
前記携帯端末に対するユーザの所定操作に応じて、前記鍵情報を他の携帯端末に送信する、又は、前記外部装置から配信させる鍵情報共有ステップと、を含む、
鍵情報共有方法が提供される。
【００１４】
本実施形態によれば、鍵情報共有方法を実行する携帯端末の鍵情報共有装置は、外部装置からの配信により取得済みの鍵情報を他の携帯端末に送信したり、外部装置から配信させたりすることで、一台の車両の鍵情報を他の携帯端末と共有することができる。従って、当該鍵情報共有装置は、複数人で一台の車両を同乗利用する場合等におけるユーザの利便性を向上させることができる。
【００１５】
また、上述した実施形態において、
前記鍵情報共有ステップでは、利用可能な時間又は利用可能な回数が制限された前記鍵情報を前記他の携帯端末に送信する、又は、前記外部装置から配信させてもよい。
【００１６】
本実施形態によれば、鍵情報共有方法を実行する携帯端末の鍵情報共有装置は、他の携帯端末が取得する鍵情報の利用可能な時間や利用可能な回数を制限できる。従って、当該鍵情報共有装置は、自己が搭載される携帯端末に既に配信済の鍵情報を他の携帯端末と共有する場合の車両のセキュリティ性を向上させることができる。
【００１７】
また、上述した実施形態において、
前記外部装置から前記携帯端末の現在位置の周辺において、前記他の携帯端末の候補になる候補端末に関する候補端末情報を取得する候補端末情報取得ステップを更に含み、
前記鍵情報共有ステップでは、前記候補端末情報に基づき、前記候補端末の中から特定された前記他の携帯端末に前記外部装置から前記鍵情報を配信させてもよい。
【００１８】
本実施形態によれば、鍵情報共有方法を実行する携帯端末の鍵情報共有装置は、外部装置から携帯端末の周辺における鍵情報を共有可能な候補端末に関する候補端末情報を取得し、候補端末の中から鍵情報の共有対象である他の携帯端末を具体的に特定できる。従って、当該鍵情報共有装置は、具体的に、他の携帯端末を指定し、前記外部装置に指定した他の携帯端末に鍵情報を配信させることができる。
【００１９】
また、上述した実施形態において、
前記他の携帯端末から、前記外部装置で当該他の携帯端末を特定可能な所定の識別情報を取得する識別情報取得ステップを更に含み、
前記鍵情報共有ステップでは、前記識別情報に基づき、前記外部装置から前記他の携帯端末に前記鍵情報を配信させてもよい。
【００２０】
本実施形態によれば、鍵情報共有方法を実行する携帯端末の鍵情報共有装置は、他の携帯端末から、外部装置で当該他の携帯端末を特定可能な識別情報を取得することができる。従って、当該鍵情報共有装置は、例えば、取得した識別情報を含む配信要求を外部装置に送信する等により、具体的に、外部装置に他の携帯端末を特定させ、当該他の携帯端末に鍵情報を配信させることができる。
【００２１】
また、上述した実施形態において、
前記鍵情報共有ステップでは、前記他の携帯端末に対応するユーザのメールアドレス、又は、所定のソーシャルネットワーキングサービスのアカウントに、前記外部装置から前記鍵情報を取得するための所定のアプリを起動させる、ＵＲＬスキームによるリンク情報を送信することにより、前記外部装置から前記他の携帯端末に前記鍵情報を配信させてもよい。
【００２２】
本実施形態によれば、鍵情報共有方法を実行する携帯端末の鍵情報共有装置は、ユーザによる複雑な操作を要することなく、容易に、他の携帯端末に鍵情報を取得させることができる。
【００２３】
また、本発明の更に他の実施形態は、鍵情報共有プログラムにより実現されうる。
【発明の効果】
【００２４】
上述の実施形態によれば、複数人で一台の車両を同乗利用する場合等におけるユーザの利便性を向上させることが可能な鍵情報管理装置等を提供することができる。
【図面の簡単な説明】
【００２５】
【図１】認証キー管理システムの全体構成の一例を示す図である。
【図２】認証キー管理システムにおける車両の施解錠に関する構成の一例を中心に示す図である。
【図３】認証キー管理システムにおけるキーシェアサービスに関する構成の一例を中心に示す図である。
【図４】認証キー管理システムにおけるトランク配送サービスに関する構成の一例を中心に示す図である。
【図５】認証キー管理システムにおけるＣ２Ｃカーシェアサービスに関する構成の一例を中心に示す図である。
【図６】認証キー管理システムにおけるＢ２Ｃカーシェアサービスに関する構成の一例を中心に示す図である。
【発明を実施するための形態】
【００２６】
以下、図面を参照して発明を実施するための形態について説明する。
【００２７】
［鍵情報管理システムの全体構成］
図１は、本実施形態に係る鍵情報管理システムの全体構成の一例を示す図である。
【００２８】
認証キー管理システム１は、車両１０と、携帯端末２０と、センタサーバ３０と、サービス管理サーバ４０を含む。
【００２９】
車両１０は、所定の通信規格に従い、携帯端末２０と比較的近距離（車室内と車室外との間で通信可能な程度の距離）での無線通信（以下、「近接通信」と称する）を行うことができる。車両１０は、携帯端末２０からの送信信号（後述する認証要求、施錠要求、及び、解錠要求）に基づき、ドアの施解錠及びその起動（イグニッションオン）が行われる対象である。車両１０のドアには、乗降用のドアだけでなく、トランク（荷室）にアクセスする荷物用のドア（例えば、トランクリッド、バックドア等）が含まれうる。また、車両１０のイグニッションオン（ＩＧ−ＯＮ）には、エンジンを主動力源とする車両１０におけるエンジンの始動の他、電動モータを主動力源とする車両１０における電動モータへの電源ＯＮが含まれうる。以下、本実施形態では、車両１０は、後述するエンジン１１７を主動力源とし、車両１０の起動（ＩＧ−ＯＮ）は、エンジン１１７の始動に対応し、車両１０の停止（ＩＧ−ＯＦＦ）は、エンジン１１７の停止に対応する前提で説明を進める。
【００３０】
また、車両１０は、所定の通信ネットワーク（例えば、多数の基地局を末端とする携帯電話網やインターネット網等）を通じて、センタサーバ３０と通信可能に接続される。車両１０は、後述の如く、センタサーバ３０に位置情報を送信する。
【００３１】
車両１０は、個人所有の車両１０Ａと、Ｂ２Ｃカーシェアサービスの提供事業者が所有する車両１０Ｂを含む。
【００３２】
携帯端末２０は、所定の通信ネットワーク（例えば、多数の基地局を末端とする携帯電話網やインターネット網等）を通じて、センタサーバ３０と通信可能に接続される。携帯端末２０は、センタサーバ３０から配信される認証用鍵情報（鍵情報の一例。以下、「認証キー」と称する）を取得すると共に、ユーザによる所定操作に応じて、取得した認証キーを比較的近距離の無線通信で車両１０に送信することにより、車両１０を解錠したり、施錠したりすることができる。携帯端末２０は、例えば、汎用の携帯電話、スマートフォン、タブレット端末であってよく、後述の如く、内蔵の処理装置２３にインストールされる所定のアプリケーションプログラム（以下、「キーアプリ」と称する）を起動させることにより上述した機能が実現されてよい。また、携帯端末２０は、センタサーバ３０から認証キーを取得し、取得した認証キーを用いて、車両１０のドアの解錠及び車両１０の起動に特化した携帯型の専用端末であってもよい。携帯端末２０は、車両１０Ａに対応する携帯端末２０Ａａ〜２０Ａｄと、車両１０Ｂに対応する携帯端末２０Ｂを含む。
【００３３】
携帯端末２０Ａａは、車両１０Ａの常用的なユーザ（以下、「常用ユーザ」と称する）のうちの所有者（オーナユーザ）が所持する携帯端末である。また、携帯端末２０Ａａは、携帯端末２０Ａｂと比較的近距離の無線通信で双方向に通信可能であってもよい。
【００３４】
携帯端末２０Ａｂは、車両１０Ａのオーナユーザ以外の常用ユーザ（例えば、オーナユーザの家族やオーナユーザの親しい友人等を含む。以下、「子ユーザ」と称する）が所持する携帯端末である。
【００３５】
尚、子ユーザには、車両１０Ａを運転しない、或いは、運転することができないユーザ（例えば、オーナユーザの１８歳未満の子供等）が含まれてよい。例えば、後述するトランク配送サービスだけを利用する場合、常用ユーザは、車両１０Ａを運転する必要が無いからである。
【００３６】
携帯端末２０Ａｃは、後述するトランク配送サービスを提供する事業者（以下、単に「配送事業者」と称する）の配達員が所持する。携帯端末２０Ａｃは、所定の通信ネットワーク（例えば、多数の基地局を末端とする携帯電話網やインターネット網等）を通じて、センタサーバ３０及び後述する配送管理サーバ５０と通信可能に接続される。
【００３７】
携帯端末２０Ａｄは、後述するＣ２Ｃカーシェアサービスにおける車両１０Ａの借主が所持する携帯端末である。携帯端末２０Ａｄは、所定の通信ネットワーク（例えば、多数の基地局を末端とする携帯電話網やインターネット網等）を通じて、センタサーバ３０及び後述するＣ２Ｃカーシェア管理サーバ７０と通信可能に接続される。
【００３８】
携帯端末２０Ｂは、後述するＢ２Ｃカーシェアサービスにおける車両１０Ｂの借主が所持する携帯端末である。携帯端末２０Ｂは、所定の通信ネットワーク（例えば、多数の基地局を末端とする携帯電話網やインターネット網等）を通じて、センタサーバ３０及び後述するＢ２Ｃカーシェア管理サーバ８０と通信可能に接続される。
【００３９】
センタサーバ３０は、車両１０、携帯端末２０、及び、サービス管理サーバ４０と通信可能に接続される。
【００４０】
センタサーバ３０（鍵情報管理装置の一例）は、車両１０の認証キーの発行を管理する。例えば、センタサーバ３０は、所定の条件に応じて、認証キーを発行し、携帯端末２０に配信する。
【００４１】
また、センタサーバ３０は、車両１０からその位置情報を取得する。これにより、センタサーバ３０は、車両１０の位置を把握することができる。
【００４２】
また、センタサーバ３０は、車両１０Ａのオーナユーザを含む複数の常用ユーザの間で、車両１０Ａを共用するカーシェアリングサービスを運用する。具体的には、センタサーバ３０は、車両１０Ａの認証キーを、オーナユーザを含む予め登録された複数人の常用ユーザのそれぞれが自己の携帯端末２０（携帯端末２０Ａａ，２０Ａｂ）に取得可能な認証キーのシェアリングサービス（キーシェアサービス）を運用する。
【００４３】
また、センタサーバ３０は、車両１０Ａを利用するサービス（キーシェアサービス、トランク配送サービス、Ｃ２Ｃカーシェアサービス等）を車両１０Ａの常用ユーザが利用するための登録処理（利用登録処理）を行う。具体的には、センタサーバ３０は、車両１０Ａの常用ユーザが車両１０Ａを利用したサービスを利用するために、後述するキーシェア管理部３２７やサービス管理サーバ４０が、後述する認証キー手配要求を送信することにより、所定の携帯端末２０に認証キーを配信させる権限（以下、「認証キー手配権限」と称する）を登録する。
【００４４】
また、センタサーバ３０は、後述するトランク配送サービス、Ｃ２Ｃカーシェアサービス等による複数のサービス（即ち、複数の事業者）に亘る車両１０Ａの利用状況を管理する。
【００４５】
サービス管理サーバ４０は、車両１０を利用して提供される各種サービスを運用管理する。サービス管理サーバ４０は、トランク配送サービスに対応する配送管理サーバ５０及びＥＣ（Electronic Commerce）サーバ６０と、Ｃ２Ｃカーシェアサービスに対応するＣ２Ｃカーシェア管理サーバ７０と、Ｂ２Ｃカーシェアサービスに対応するＢ２Ｃカーシェア管理サーバ８０を含む。
【００４６】
尚、トランク配送サービスには、後述するＥＣサイトで発注された商品を配送対象とする配送サービスと、ＥＣサイトで発注された商品以外を配送対象とする配送サービスが含まれうる。後者のトランク配送サービスは、例えば、配送管理サーバ５０から車両１０Ａの常用ユーザに対して、電子メールやＳＮＳ（Sorcial Networking Service）のアカウントや携帯端末２０Ａａ，２０Ａｂで起動される特定のアプリケーションプログラムを通じて、自宅宛ての荷物が配送予定である旨の通知があった場合に、常用ユーザが配送先を車両１０Ａのトランクに変更することができるサービスである。以下、本実施形態では、前者のトランク配送サービスを中心に説明を行うが、後述するトランク配送サービスに関連する各構成の動作は、適宜、後者のトランク配送サービスにおける各構成の動作に援用可能である。
【００４７】
配送管理サーバ５０は、所定の通信ネットワークを通じて、携帯端末２０Ａｃ及びセンタサーバ３０と通信可能に接続され、荷物の受付から車両１０Ａのトランクに荷物を配送するまでのトランク配送サービスに関連する物流システムの運用管理を行う。
【００４８】
尚、配送管理サーバ５０を運営する配送事業者は、トランク配送サービスだけでなく、トランクを荷物の集荷元として指定可能な集荷サービス（以下、「トランク集荷サービス」と称する）を車両１０Ａの常用ユーザに提供してもよい。つまり、配送管理サーバ５０は、トランク配送サービスに代えて、或いは、加えて、トランク集荷サービスの運用管理を行ってもよい。この場合、集荷対象の荷物は、ＥＣサーバ６０に対応するＥＣサイトの運営事業者（或いはＥＣサイトの出店店舗）に返品される商品（即ち、ＥＣサイトで購入された商品）であってもよいし、ＥＣサイトと関係ない配達用の荷物であってもよい。また、トランク集荷サービスは、顧客から商品を一時的に預かる形態のサービスを提供する事業者（例えば、クリーニング等の事業者）が車両１０Ａの常用ユーザから荷物を預かる際の集荷サービスとして実現されてもよい。この場合、クリーニング事業者等によって、配送管理サーバ５０と同様、サービス管理サーバ４０に含まれうる、トランク集荷サービスを運営管理する集荷管理サーバが設けられてよい。つまり、配送管理サーバ５０に代えて、或いは、加えて、当該集荷管理サーバが設けられてよい。また、顧客から所定の物品（廃品や買い取りを希望する古本等の物品）を回収する形態のサービスを提供する事業者（例えば、廃品回収事業者や古物買い取り事業者等）によって、トランクを回収対象の物品の回収元として指定可能な回収サービス（以下「トランク回収サービス」と称する）が車両１０Ａの常用ユーザに提供されてもよい。この場合、廃品回収事業者等によって、配送管理サーバ５０と同様、サービス管理サーバ４０に含まれうる、トランク回収サービスを運営管理する回収管理サーバが設けられてよい。つまり、配送管理サーバ５０に代えて、或いは、加えて、当該回収管理サーバが設けられてよい。
【００４９】
ＥＣサーバ６０は、所定の通信ネットワークを通じて、センタサーバ３０及び配送管理サーバ５０と通信可能に接続され、商品やサービスを販売する所定のウェブサイト（ＥＣサイト）を運用する。具体的には、ＥＣサーバ６０は、予め登録された車両１０Ａの常用ユーザ及び配送事業者（配送管理サーバ５０に対応する配送事業者）を対象として、ＥＣサイトの注文画面に、配送先の選択肢として車両１０Ａのトランクを表示させる。これにより、車両１０Ａの常用ユーザは、自身が自宅に不在の場合であっても、購入した商品を、車両１０Ａのトランクに配送してもらうことができる。
【００５０】
Ｃ２Ｃカーシェア管理サーバ７０は、携帯端末２０Ａｄ及びセンタサーバ３０と通信可能に接続され、オーナユーザによる車両１０Ａの貸し出し可能な日時の登録受付、車両１０Ａを借りたい人からの利用予約の受付、車両１０Ａの認証キーの手配等のＣ２Ｃカーシェアサービスの運用管理を行う。また、Ｃ２Ｃカーシェア管理サーバ７０は、個人所有の車両１０Ａの車室内やトランクを一時的な荷物置き場や荷物の配達先等として貸し出す態様のＣ２Ｃトランクシェアサービスを運営管理してもよい。
【００５１】
Ｂ２Ｃカーシェア管理サーバ８０は、携帯端末２０Ｂ及びセンタサーバ３０と通信可能に接続され、車両１０Ｂの利用予約の受付、車両１０Ｂの駐車位置、車両１０Ｂの認証キーの手配等のＢ２Ｃカーシェアサービスの運用管理を行う。また、Ｂ２Ｃカーシェア管理サーバ８０は、車両１０Ｂの車室内やトランクを一時的な荷物置き場や荷物の配達先として貸し出す態様のＢ２Ｃトランクシェアサービスを運営管理してもよい。
【００５２】
尚、サービス管理サーバ４０には、Ｂ２Ｃカーシェア管理サーバ８０に代えて、或いは、加えて、ある会社の社用車である車両１０を利用予約の対象とし、当該会社の社員を借主とするカーシェアサービス（社用車利用管理サービス）を運用する社用車利用管理サーバが含まれてもよい。このとき、社用車である車両１０の遊休時間帯が存在する場合、Ｃ２Ｃカーシェア管理サーバ７０は、社用車である車両１０を借用対象とするＣ２Ｃカーシェアサービスを運用してもよい。また、配送管理サーバ５０及びＥＣサーバ６０は、ある会社に配送される荷物の配達先を当該会社の社用車である車両１０のトランクに指定可能なトランク配送サービスを運用してもよい。
【００５３】
［車両の施解錠及び起動に関する構成の詳細］
次に、図２を参照して、認証キー管理システム１における車両１０の施解錠及び起動に関する構成について説明する。
【００５４】
図２は、認証キー管理システム１における車両１０の施解錠及び起動に関する構成の一例を中心に示す図である。車両１０は、施解錠・起動装置１１と、キーユニット１２と、ＧＰＳモジュール１３と、ＤＣＭ（Data Communication Module）１４を含む。
【００５５】
施解錠・起動装置１１は、車両１０に取り付けられ、キーユニット１２からＲＦ（Radio Frequency：高周波）帯（例えば、３００ＭＨｚ〜３ＧＨｚ）の電波（以下、「ＲＦ電波」と称する）として送信される施錠信号及び解錠信号に応じて、車両１０のドアの解錠及び施錠を行う。また、施解錠・起動装置１１は、車両１０の車室内に設けられる起動スイッチ（不図示）の押下操作をトリガとして、キーユニットとの間でのＬＦ（Low Frequency：低周波）帯（例えば、３０Ｈｚ〜３００ｋＨｚ）の電波（以下、「ＬＦ電波」と称する）及びＲＦ電波によるやり取りに応じて、車両１０を起動させる。施解錠・起動装置１１は、ＬＦ電波送信機１１１と、ＲＦ電波受信機１１２と、照合ＥＣＵ（Electronic Control Unit）１１３と、ボディＥＣＵ１１４と、ドアロックモータ１１５と、エンジンＥＣＵ１１６と、車両１０の駆動力源であるエンジン１１７を含む。
【００５６】
尚、施解錠・起動装置１１は、車両１０に搭載される補機バッテリ（不図示）から供給される電力で作動する。
【００５７】
ＬＦ電波送信機１１１は、例えば、車室内のセンターコンソールやドアハンドルに内蔵され、照合ＥＣＵ１１３の制御下において、ＬＦ電波を送信する。
【００５８】
ＲＦ電波受信機１１２は、例えば、車両１０の荷室のトリム内に設けられ、照合ＥＣＵ１１３の制御下において、ＲＦ電波を受信する。
【００５９】
照合ＥＣＵ１１３は、キーユニット１２との間での信号のやり取りに基づき、車両１０のドアの施解錠及び車両１０の起動を制御する電子制御ユニットである。照合ＥＣＵ１１３は、任意のハードウェア、ソフトウェア、或いは、これらの組み合わせにより実現される。例えば、照合ＥＣＵ１１３は、ＣＰＵ（Central Processing Unit）と、ＲＡＭ（Random Access Memory）と、ＲＯＭ（Read Only Memory）と、補助記憶装置と、ＲＴＣ（Real Time Clock）と、通信用のインターフェースを含むマイクロコンピュータを中心に構成される。そして、照合ＥＣＵ１１３は、ＲＯＭや補助記憶装置に格納される各種プログラムをＣＰＵ上で実行することにより各種制御処理を実現する。以下、後述するキーＥＣＵ１２４についても同様である。
【００６０】
照合ＥＣＵ１１３は、ＲＦ電波受信機１１２によって、キーユニット１２からＲＦ電波として送信される解錠信号及び施錠信号を受信する。
【００６１】
また、照合ＥＣＵ１１３は、解錠信号或いは施錠信号を受信した場合、解錠信号或いは施錠信号に含まれる鍵情報（以下、「内部鍵情報」と称する）に基づき、解錠信号或いは施錠信号の送信元（キーユニット１２）の認証を行う。照合ＥＣＵ１１３は、例えば、補助記憶装置等の内部メモリに予め登録される内部鍵情報と、解錠信号或いは施錠信号に含まれる内部鍵情報とが一致する場合、認証成功と判断し、一致しない場合、認証失敗と判断する。
【００６２】
また、例えば、照合ＥＣＵ１１３は、ＬＦ電波送信機１１１からキーユニット１２に向けて、内部メモリの内部鍵情報を利用して所定の方法で作成された"チャレンジ"を含むＬＦ電波を送信し、ＲＦ電波受信機１１２により受信される、キーユニット１２から返信された"レスポンス"に基づき、チャレンジレスポンス認証を行ってもよい。
【００６３】
そして、照合ＥＣＵ１１３は、認証が成功した場合、ＣＡＮ（Controller Area Network）等の車載ネットワークを通じて、ボディＥＣＵ１１４に解錠指令（解錠信号の受信時）或いは施錠指令（施錠信号の受信時）を送信する。
【００６４】
尚、後述の如く、解錠信号では、車両１０のドアの一部だけが解錠対象として指定される場合がある。この場合、照合ＥＣＵ１１３は、解錠指令において、解錠対象のドアを指定する。これにより、ボディＥＣＵ１１４は、指定される一部のドアに対応するドアロックモータ１１５だけを作動させ、一部のドアだけを解錠させることができる。
【００６５】
また、照合ＥＣＵ１１３は、上述の起動スイッチが押下操作された場合、ＬＦ電波送信機１１１及びＲＦ電波受信機１１２によるキーユニット１２との信号のやり取りによりキーユニット１２の認証を行う。
【００６６】
例えば、照合ＥＣＵ１１３は、ＬＦ電波送信機１１１からキーユニット１２に向けて内部鍵情報の返信を要求するＬＦ帯のリクエスト信号を送信する。そして、照合ＥＣＵ１１３は、ＲＦ電波受信機１１２によりキーユニット１２から内部鍵情報を含むレスポンス信号が受信された場合、ドアの施解錠の場合と同様、内部メモリに予め登録される内部鍵情報と、レスポンス信号に含まれる内部鍵情報との一致性に基づき、認証成功或いは認証失敗を判断する。
【００６７】
また、例えば、照合ＥＣＵ１１３は、ドアの施解錠の場合と同様、チャレンジレスポンス認証を行ってもよい。
【００６８】
そして、照合ＥＣＵ１１３は、認証が成功した場合、ＣＡＮ等の車載ネットワークを通じて、エンジンＥＣＵ１１６にエンジン１１７の始動指令を送信する。
【００６９】
ボディＥＣＵ１１４は、一対一の通信線等により通信可能に接続されるドアロックモータ１１５の作動制御を行う電子制御ユニットである。ボディＥＣＵ１１４は、照合ＥＣＵ１１３からの解錠指令に応じて、ドアロックモータ１１５に解錠動作を行わせる制御指令を出力する。また、ボディＥＣＵ１１４は、照合ＥＣＵ１１３からの施錠指令に応じて、ドアロックモータ１１５に施錠動作を行わせる制御指令を出力する。
【００７０】
ドアロックモータ１１５は、ボディＥＣＵ１１４からの制御指令に応じて、車両１０のドアを解錠及び施錠する既知の電動アクチュエータである。
【００７１】
エンジンＥＣＵ１１６は、エンジン１１７を駆動制御する電子制御ユニットである。具体的には、エンジンＥＣＵ１１６は、エンジン１１７に搭載される、スタータやインジェクタ等の各種アクチュエータを駆動制御する。エンジンＥＣＵ１１６は、照合ＥＣＵ１１３から始動指令が入力された場合、エンジン１１７のスタータやインジェクタ等の各種アクチュエータに制御指令を出力し、エンジン１１７を始動させる。
【００７２】
キーユニット１２は、車両１０の車室内に配置され、携帯端末２０から送信される解錠要求及び施錠要求のそれぞれに応じて、施解錠・起動装置１１にＲＦ電波として解錠信号及び施錠信号を送信する。また、キーユニット１２は、車両１０の車室内に設けられる起動スイッチが押下操作された際に、施解錠・起動装置１１から送信されるＬＦ帯の信号に応じて、施解錠・起動装置１１との間で信号のやり取りを行う。キーユニット１２は、ＬＦ電波受信機１２１、ＲＦ電波送信機１２２、通信機器１２３、キーＥＣＵ１２４を含む。
【００７３】
尚、キーユニット１２は、車両１０のそれぞれのシートに着座したユーザから視認しにくい位置（例えば、グローブボックスやセンタコンソールボックスの内部等）配置されてよい。また、キーユニット１２は、車両１０に固定されていてもよいし、固定されていなくてもよい。また、キーユニット１２は、内蔵のボタン電池等により作動してもよいし、車両１０に搭載される補機バッテリから供給される電力で作動してもよい。
【００７４】
ＬＦ電波受信機１２１は、キーＥＣＵ１２４の制御下において、ＬＦ電波を受信する。
【００７５】
ＲＦ電波送信機１２２は、キーＥＣＵ１２４の制御下において、ＲＦ電波を送信する。
【００７６】
通信機器１２３は、キーＥＣＵ１２４による制御下において、携帯端末２０との間で近接通信を行う任意のデバイスである。通信機器１２３は、例えば、ＢＬＥ（Bluetooth（登録商標） Low Energy）通信規格に準拠して携帯端末２０と通信を行うＢＬＥ通信モジュールであってよい。また、以下、通信機器１２３で採用される通信規格がＢＬＥ通信に準拠する前提で説明を進める。
【００７７】
尚、通信機器１２３は、通信可能距離が非常に短い近距離通信規格、例えば、ＮＦＣ（Near Field Communication）規格等に準拠した通信デバイスであってもよい。この場合、通信機器１２３は、車両１０の車室外のボディ表面に近い位置（例えば、ドアハンドルの内部）等に内蔵されてよい。これにより、通信機器１２３による通信可能な距離が非常に短い場合であっても、キーユニット１２（キーＥＣＵ１２４）は、車室外の携帯端末２０と通信することができる。
【００７８】
キーＥＣＵ１２４は、携帯端末２０から受信する解錠要求及び施錠要求のそれぞれに応じて、施解錠・起動装置１１に対して、施錠信号及び解錠信号を送信する制御処理を行う電子制御ユニットである。
【００７９】
キーＥＣＵ１２４は、通信機器１２３を通じて、携帯端末２０からキーユニット１２と対応付けられた認証キーを含む認証要求を受信する。
【００８０】
また、キーＥＣＵ１２４は、携帯端末２０からキーユニット１２と対応付けられた認証キーを含む認証要求が受信された場合、当該認証キーに基づき、携帯端末２０の認証を行う。キーＥＣＵ１２４は、当該認証が成功した場合、補助記憶装置等の内部メモリに記憶される内部鍵情報を利用可能な状態に復元する。当該内部鍵情報は、例えば、アクセス不可の状態であったり、暗号化された状態であったり等により、施解錠・起動装置１１における認証用途として利用できない状態で記憶される。そのため、キーＥＣＵ１２４は、携帯端末２０の認証が成功した場合、当該鍵情報をアクセス可能な状態に変更するための内部メモリのアクセス権の変更を行ったり、認証キーに基づき、暗号化された内部鍵情報を復号したり等する。これにより、キーＥＣＵ１２４は、施解錠・起動装置１１に対して、通常アクセス不可である内部鍵情報にアクセスして内部鍵情報を含む解錠信号或いは施錠信号を送信したり、復号された内部鍵情報を含む解錠信号或いは施錠信号を送信したりすることができる。そのため、施解錠・起動装置１１は、解錠信号及び施錠信号に含まれる内部鍵情報に基づき、適切な認証を行うことできる。また、仮に、悪意の第三者がキーユニット１２を不正に入手するような事態が発生しても、キーユニット１２内の内部鍵情報は、アクセス不可になっていたり、暗号化されていたり等するため、車両１０の盗難の発生を抑制することができる。
【００８１】
また、キーＥＣＵ１２４は、通信機器１２３を通じて、携帯端末２０から解錠要求及び施錠要求を受信する。キーＥＣＵ１２４は、携帯端末２０の認証が成功し（具体的には、携帯端末２０の認証が成功した後に、ＢＬＥ通信が確立された状態継続しており）、且つ、携帯端末２０から解錠要求或いは施錠要求を受信した場合、ＲＦ電波送信機１２２を通じて、施解錠鍵情報を含む解錠信号或いは施錠信号を施解錠・起動装置１１に送信する。
【００８２】
これにより、施解錠・起動装置１１における認証処理の後、車両１０のドアの解錠或いは施錠が実現される。
【００８３】
また、キーＥＣＵ１２４は、上述の如く、車両１０の車室内に設けられる起動スイッチが押下操作された際に、施解錠・起動装置１１から送信されるＬＦ帯の信号に応じて、施解錠・起動装置１１との間で信号のやり取りを行う。
【００８４】
例えば、キーＥＣＵ１２４は、ＬＦ電波受信機１２１により施解錠・起動装置１１から上記リクエスト信号が受信された場合、ＲＦ電波送信機１２２を通じて、内部メモリ等に格納される内部鍵情報を含むレスポンス信号を施解錠・起動装置１１に向けて送信する。
【００８５】
また、例えば、キーＥＣＵ１２４は、ＬＦ電波受信機１２１により施解錠・起動装置１１から"チャレンジ"を含むＬＦ電波が受信された場合、内部鍵情報に基づく"レスポンス"を生成し、ＲＦ電波送信機１２２を通じて、施解錠・起動装置１１に送信する。
【００８６】
これにより、施解錠・起動装置１１における認証処理の後、エンジン１１７の始動が実現される。
【００８７】
また、認証キーには、センタサーバ３０により付与される車両１０を施解錠又は起動させる機能に関する権限が規定されうる。
【００８８】
例えば、認証キーが車両１０のドアのうちの一部のドアだけを解錠させる権限しか有さない場合、キーＥＣＵ１２４は、ＲＦ電波送信機１２２を通じて、解錠させるドアを指定する情報を含む解錠信号をキーユニット１２に送信する。これにより、上述の如く、車両１０の一部のドアだけが解錠さうれる。
【００８９】
また、例えば、認証キーがエンジン１１７を起動させる権限を有さない場合、キーＥＣＵ１２４は、ＬＦ電波受信機１２１によって、起動スイッチの押下操作に基づく施解錠・起動装置１１からのＬＦ帯の信号が受信されても、施解錠・起動装置１１とのやり取りを行わないようにするとよい。これにより、認証キーの権限に応じて、エンジン１１７の起動を禁止することができる。
【００９０】
ＧＰＳモジュール１３は、車両１０の上空の３以上、好ましくは、４以上の衛星から送信されるＧＰＳ信号を受信し、車両１０の位置を測位する。ＧＰＳモジュール１３は、一対一の通信線やＣＡＮ等の車載ネットワークを通じてＤＣＭ１４等と通信可能に接続され、測位された車両１０の位置情報は、ＤＣＭ１４等に入力される。
【００９１】
ＤＣＭ１４は、所定の通信ネットワークを通じて、センタサーバ３０と双方向で通信を行う通信デバイスである。ＤＣＭ１４は、予め規定されたタイミングで、或いは、センタサーバ３０からの要求等に応じて、ＧＰＳモジュール１３から入力される車両１０の現在の位置情報をセンタサーバ３０に送信する。また、ＤＣＭ１４は、予め規定されたタイミングで、或いは、センタサーバ３０からの要求等に応じて、ＣＡＮ等の車載ネットワークを通じて取得されうる各種車両情報（例えば、認証キーに基づき車両１０のドアの解錠或いは車両１０の起動が行われた旨の情報等）をセンタサーバ３０に送信する。
【００９２】
携帯端末２０は、通信機器２１と、通信機器２２と、処理装置２３と、タッチパネルディスプレイ（以下、単に「ディスプレイ」と称する）２４を含む。
【００９３】
通信機器２１は、通信機器１２３と同じ通信規格により、携帯端末２０との間で近接通信を行う任意のデバイスである。通信機器２１は、上述の如く、本実施形態の場合、例えば、ＢＬＥ通信モジュールである。
【００９４】
通信機器２２は、所定の通信ネットワークを通じて、センタサーバ３０、サービス管理サーバ４０等と通信を行う任意のデバイスである。通信機器２２は、例えば、ＬＴＥ（Long Term Evolution）、４Ｇ（4th Generation）、５Ｇ（5th Generation）等の通信規格に対応する移動通信モジュールである。
【００９５】
処理装置２３は、携帯端末２０における各種制御処理を行う。処理装置２３は、その機能が任意のハードウェア、ソフトウェア、或いは、これらの組み合わせにより実現されてよく、例えば、ＣＰＵと、ＲＡＭと、ＲＯＭと、補助記憶装置と、ＲＴＣと、通信用の各種インターフェース等を含む。処理装置２３は、例えば、ＲＯＭや補助記憶装置に格納される一以上のプログラムをＣＰＵ上で実行することにより実現される機能部として、通信処理部２３１と、通信処理部２３２と、認証キー取得部２３３と、認証要求部２３４と、施解錠要求部２３５を含む。また、処理装置２３は、例えば、補助記憶装置内の記憶領域として実現される記憶部２３０を含み、記憶部２３０に各種データを保存する（記憶させる）処理は、ＲＯＭや補助記憶装置に格納される所定のプログラムにより実現される。
【００９６】
通信処理部２３１は、通信機器２１を用いて、キーユニット１２と双方向で近接通信を行い、各種信号の送受信を行う。
【００９７】
通信処理部２３２は、通信機器２２を用いて、所定の通信ネットワークに接続し、センタサーバ３０やサービス管理サーバ４０等との間で、データ信号や制御信号等の各種信号を送受信する。
【００９８】
認証キー取得部２３３は、例えば、ディスプレイ２４に表示される所定のＧＵＩ（Graphical User Interface）に対するユーザの所定の操作に応じて、センタサーバ３０から認証キーを取得し、取得した認証キーを記憶部２３０に保存する。以下、携帯端末２０に対する各種操作は、上記キーアプリの動作と連動してディスプレイ２４に表示されるＧＵＩに対する操作で行われる前提で説明を進める。
【００９９】
例えば、携帯端末２０Ａａの認証キー取得部２３３は、通信処理部２３２を介して、センタサーバ３０に、認証キー取得要求を送信する。これにより、センタサーバ３０は、認証キー取得要求を受信し、正規の認証キー取得要求であると判定すると、認証キーを発行する。そして、当該認証キー取得部２３３は、通信処理部２３２を介して、センタサーバ３０から配信される認証キーを取得する。
【０１００】
また、例えば、携帯端末２０Ａｂの認証キー取得部２３３は、携帯端末２０Ａａからセンタサーバ３０に送信されるキーシェア要求（後述）に応じて、センタサーバ３０から携帯端末２０Ａｂに配信される認証キーを、通信処理部２３２を介して、取得する。
【０１０１】
尚、携帯端末２０Ａｂの認証キー取得部２３３は、通信処理部２３２を介して、自ら認証キー取得要求をセンタサーバ３０に送信してもよい。この場合、センタサーバ３０は、携帯端末２０Ａｂから認証キー取得要求を受信した場合、オーナユーザの携帯端末２０Ａａに対して認証キーの配信を許可するか否かの問い合わせを行うとよい。
【０１０２】
また、例えば、携帯端末２０Ａｃ，２０Ａｄ，２０Ｂの認証キー取得部２３３は、それぞれ、配送管理サーバ５０，Ｃ２Ｃカーシェア管理サーバ７０、Ｂ２Ｃカーシェア管理サーバ８０に認証キーの取得を要求する認証キー取得要求を送信する。これにより、配送管理サーバ５０，Ｃ２Ｃカーシェア管理サーバ７０、Ｂ２Ｃカーシェア管理サーバ８０は、認証キー取得要求の受信に応じて、センタサーバ３０に認証キー手配要求を送信すると共に、センタサーバ３０は、認証キー手配要求の受信に応じて、認証キーを発行する。そして、当該認証キー取得部２３３は、通信処理部２３２を介して、センタサーバ３０から配信される認証キーを取得する。
【０１０３】
尚、携帯端末２０Ａｃ，２０Ａｄ，２０Ｂの認証キー取得部２３３は、通信処理部２３２を通じて、センタサーバ３０に認証キー取得要求を送信してもよい。この場合、センタサーバ３０は、配送管理サーバ５０，Ｃ２Ｃカーシェア管理サーバ７０、Ｂ２Ｃカーシェア管理サーバ８０に対する問い合わせを行うことにより、正規の認証キー取得要求であるか否かを判定してよい。
【０１０４】
認証要求部２３４は、通信処理部２３１を介して、車両１０のドアを施解錠するための遠隔操作部としての携帯端末２０の認証を要求する認証要求を車両１０のキーユニット１２に送信する。例えば、認証要求部２３４は、認証キーに対応するキーユニットを発見した場合、具体的には、通信処理部２３１によりキーユニット１２に対応するアドバタイジングパケットが受信された場合に、認証要求をキーユニット１２に送信してよい。また、例えば、認証要求部２３４は、ユーザによる所定の操作に応じて、認証要求をキーユニット１２に送信してもよい。
【０１０５】
施解錠要求部２３５は、ユーザによる所定の操作に応じて、認証キーを含む解錠要求或いは認証キーを含む施錠要求を、通信処理部２３１を介して、キーユニット１２に送信する。これにより、認証要求部２３４による認証要求が送信される前に、解錠要求或いは施錠要求がキーユニット１２に送信された場合であっても、キーユニット１２における認証処理に基づく車両１０のドアの施解錠が実現されうる。例えば、ディスプレイ２４の操作画面としてのＧＵＩには、車両１０の解錠を要求する解錠ボタンと、車両１０の施錠を要求する施錠ボタンが描画され、施錠ボタンがタッチ操作されることにより、施錠要求が送信され、解錠ボタンがタッチ操作されることにより、解錠要求が送信されてよい。また、施錠要求及び解錠要求は、携帯端末２０に設けられるハードウェアによる所定の操作部に対する操作により送信されてもよい。
【０１０６】
例えば、認証キー取得部２３３、認証要求部２３４、及び、施解錠要求部２３５の機能は、処理装置２３のＲＯＭや補助記憶装置等にインストールされる所定のアプリケーションプログラムが起動されることによって、ユーザが利用可能になる態様であってよい。以下、処理装置２３の認証キー取得部２３３、認証要求部２３４、及び施解錠要求部２３５の機能は、処理装置２３（補助記憶装置やＲＯＭ）にインストール済の上記キーアプリを起動させることによりユーザが利用可能になる前提で説明を進める。
【０１０７】
センタサーバ３０は、通信機器３１と、処理装置３２を含む。
【０１０８】
尚、センタサーバ３０の機能は、複数のサーバにより分担して実現されてもよい。以下、配送管理サーバ５０、ＥＣサーバ６０、Ｃ２Ｃカーシェア管理サーバ７０、及び、Ｂ２Ｃカーシェア管理サーバ８０についても同様である。
【０１０９】
通信機器３１は、所定の通信ネットワークを通じて、車両１０、携帯端末２０、及び、サービス管理サーバ４０のそれぞれと双方向で通信を行う任意のデバイスである。
【０１１０】
処理装置３２（情報処理装置の一例）は、センタサーバ３０における各種制御処理を行う。処理装置３２は、その機能が任意のハードウェア、ソフトウェア、或いは、これらの組み合わせにより実現されてよく、例えば、ＣＰＵと、ＲＡＭと、ＲＯＭと、補助記憶装置と、ＲＴＣと、所定の通信インターフェース等を含む一又は複数のサーバコンピュータを中心に構成される。以下、配送管理サーバ５０、ＥＣサーバ６０、Ｃ２Ｃカーシェア管理サーバ７０、及び、Ｂ２Ｃカーシェア管理サーバ８０の後述する処理装置５２，６２，７２，８２についても同様である。処理装置３２は、例えば、ＲＯＭや補助記憶装置に保存される一以上のプログラムをＣＰＵ上で実行することにより実現される機能部として、通信処理部３２１と、条件判定部３２２と、認証キー発行部３２３を含む。また、処理装置３２は、例えば、サーバコンピュータの補助記憶装置やサーバコンピュータに接続される外部記憶装置等に規定される記憶領域として実現される記憶部３２０を含み、記憶部３２０に各種データが保存（記憶）される処理は、ＲＯＭや補助記憶装置に格納されるプログラムにより実現される。以下、後述する記憶部５２０，６２０，７２０，８２０についても同様である。
【０１１１】
通信処理部３２１は、通信機器３１を制御し、車両１０、携帯端末２０、及び、サービス管理サーバ４０のそれぞれとの間での制御信号や情報信号等の各種信号のやり取りを行う。
【０１１２】
条件判定部３２２は、通信処理部３２１により受信される、携帯端末２０からの認証キー取得要求或いはサービス管理サーバ４０からの認証キー手配要求の受信に応じて、正規の認証キー取得要求或いは認証キー手配要求であるかを判定する。
【０１１３】
認証キー発行部３２３（鍵情報配信部の一例）は、条件判定部３２２により認証キー取得要求或いは認証キー手配要求が正規であると判定された場合に、発行すべき認証キーの仕様を特定し、特定した仕様に対応する認証キーを発行する。例えば、認証キー発行部３２３は、認証キーによる施解錠の対象となる車両１０或いは当該車両１０に対応するキーユニット１２等を特定する。また、例えば、認証キー発行部３２３は、認証キーが有効な（利用可能な）期間、利用可能な回数に関する認証キーの権限を特定する。また、例えば、認証キー発行部３２３は、施解錠可能なドア、車両１０を起動可能か否か等の車両１０の解錠或いは起動に関する認証キーの権限を特定する。また、例えば、認証キー発行部３２３は、後述する臨時キーシェアによる他の携帯端末２０への認証キーのシェアの可否、他の携帯端末２０へシェア可能なの期間、回数等の臨時キーシェアに関する認証キーの権限を特定する。以下、利用可能な期間、回数等に関する認証キーの権限、車両１０の解錠或いは起動に関する認証キーの権限、及び、臨時キーシェアに関する認証キーの権限を総括的に、単に「認証キーの各種権限」と称する。そして、認証キー発行部３２３は、通信処理部３２１を介して、対象となる携帯端末２０に発行した認証キーを配信する。
【０１１４】
［キーシェアサービスに関する構成の詳細］
次に、図３を参照して、認証キー管理システム１におけるキーシェアサービスに関する構成について説明する。
【０１１５】
図３は、認証キー管理システム１におけるキーシェアサービスに関する構成の一例を中心に示す図である。以下、図３について、認証キー管理システム１におけるキーシェアサービスに関する構成を中心に説明し、上述した車両１０の施解錠及び起動に関する構成と重複する構成に関する重複する説明を極力省略する。以下、図４〜図６の説明についても同様である。
【０１１６】
車両１０Ａのオーナユーザが所持する携帯端末２０Ａａの処理装置２３は、上述の如く、通信処理部２３１と、通信処理部２３２と、認証キー取得部２３３と、認証要求部２３４と、施解錠要求部２３５を含む。また、携帯端末２０Ａａの処理装置２３（鍵情報共有装置、及び、情報処理装置の一例）は、更に、ＲＯＭや補助記憶装置に格納される一以上のプログラムをＣＰＵ上で実行することにより実現される機能部として、ユーザ登録要求部２３６と、サービス利用登録要求部２３７と、サービス利用状況要求部２３８と、キーシェア要求部２３９を含む。
【０１１７】
尚、本実施形態では、携帯端末２０Ａａのユーザ登録要求部２３６、サービス利用登録要求部２３７、サービス利用状況要求部２３８、及び、キーシェア要求部２３９の機能は、上記キーアプリが起動され、且つ、センタサーバ３０との双方向通信に基づくユーザ認証が成功することにより、オーナユーザが利用可能になる前提で説明を進める。また、当該ユーザ認証は、オーナユーザに対して予め規定されるＩＤ（以下、「オーナユーザＩＤ」と称する）と、オーナユーザＩＤに対応するパスワードに基づき、センタサーバ３０で行われる前提で説明を進める。
【０１１８】
ユーザ登録要求部２３６は、オーナユーザによる所定の操作に応じて、車両１０Ａを利用する各種サービス（キーシェアサービス、トランク配送サービス、及び、Ｃ２Ｃカーシェアサービス等）を利用する車両１０Ａの常用ユーザの登録をセンタサーバ３０に対して要求する。例えば、ユーザ登録要求部２３６は、オーナユーザＩＤ及びパスワードと、登録対象である子ユーザを特定する属性情報（例えば、氏名、年齢、オーナユーザとの関係等）を含むユーザ登録要求を、通信処理部２３２を介して、センタサーバ３０に送信する。
【０１１９】
また、ユーザ登録要求部２３６は、通信処理部２３２によりセンタサーバ３０から子ユーザの登録が完了した旨の通知（ユーザ登録完了通知）が受信された場合、ユーザ登録完了通知に含まれる子ユーザのＩＤ（以下、「子ユーザＩＤ」と称する）及びパスワードを記憶部２３０に保存する。このとき、ユーザ登録要求部２３６は、オーナユーザによる所定の操作に応じて、通信処理部２３１を介して、登録された子ユーザが所持する携帯端末２０Ａｂに子ユーザＩＤ及びパスワードを送信してもよい。
【０１２０】
サービス利用登録要求部２３７は、オーナユーザによる所定の操作に応じて、車両１０Ａの常用ユーザによる車両１０Ａを利用する各種サービスの利用登録をセンタサーバ３０に要求する。つまり、サービス利用登録要求部２３７は、上述の如く、車両１０Ａの常用ユーザが各種サービスを利用するための各種サービスに対応するキーシェア管理部３２７やサービス管理サーバ４０の認証キー手配権限の登録を要求する。例えば、サービス利用登録要求部２３７は、オーナユーザＩＤ及びそのパスワードと、各種サービスに利用される車両１０Ａを特定する情報と、対象のサービスを特定する情報と、対象のサービスを利用する常用ユーザのＩＤ（オーナユーザＩＤ或いは子ユーザＩＤ）を含むサービス利用登録要求を、通信処理部２３２を介して、センタサーバ３０に送信する。以下、オーナユーザＩＤ及び子ユーザＩＤを総括的に「常用ユーザＩＤ」と称する場合がある。これにより、サービス利用登録要求部２３７は、キーシェアサービスを利用する子ユーザをセンタサーバ３０に登録することができる。
【０１２１】
また、サービス利用登録要求部２３７は、通信処理部２３２によりセンタサーバ３０及びサービス管理サーバ４０の少なくとも一方からサービス利用登録要求に基づくサービスの利用登録が完了した旨の通知を受信する。そして、サービス利用登録要求部２３７は、オーナユーザによる所定の操作に基づく車両１０Ａの常用ユーザによる特定サービスの利用登録が完了した旨をディスプレイ２４に表示させる。これにより、オーナユーザは、当該常用ユーザによる特定サービスの利用登録が完了したことを把握することができる。
【０１２２】
サービス利用状況要求部２３８は、オーナユーザによる所定の操作に応じて、オーナユーザＩＤに対応する形で利用登録済の車両１０Ａの常用ユーザによるキーシェアサービスを含む各種サービスの利用状況に関する情報（サービス利用状況情報）をセンタサーバ３０に要求する。例えば、サービス利用状況要求部２３８は、オーナユーザＩＤ及びそのパスワードを含むサービス利用状況要求を、通信処理部２３２を介して、センタサーバ３０に送信する。そして、サービス利用状況要求部２３８は、通信処理部２３２によりセンタサーバ３０から受信されるサービス利用状況情報が受信された場合、ディスプレイ２４にサービス利用状況情報を表示させる。これにより、オーナユーザは、オーナユーザＩＤに紐付く態様でセンタサーバ３０に利用登録される各種サービスの各常用ユーザによる利用状況に関する情報を一元的に把握することができる。
【０１２３】
キーシェア要求部２３９は、オーナユーザによる所定の操作に応じて、キーシェアサービスに利用登録された子ユーザへの車両１０Ａの施解錠或いは起動を行うための認証キーの配信をセンタサーバ３０に要求する。例えば、キーシェア要求部２３９は、通信処理部２３２を介して、オーナユーザＩＤ及びそのパスワードと、認証キーによる施解錠対象の車両１０Ａに関する情報と、認証キーの配信（シェア）対象の子ユーザに関する情報（例えば、子ユーザＩＤ）を含むキーシェア要求をセンタサーバ３０に送信する。このとき、キーシェア要求には、オーナユーザによる所定の操作で設定される配信される認証キーが利用可能な期間に関する利用期間情報（例えば、利用開始日時及び利用終了日時等）が含まれてよい。また、キーシェア要求には、オーナユーザによる所定の操作に応じて指定されうる、利用可能な期間や回数等に関する認証キーの権限、車両の解錠或いは起動に関する認証キーの権限、及び、後述する臨時キーシェアに関する認証キーの権限等、認証キーの各種権限に関する権限情報が含まれてもよい。これにより、後述の如く、同時期に利用可能な認証キーを複数の携帯端末２０でシェアする場合に、オーナユーザが適宜権限情報を設定することにより、オーナユーザ以外のユーザによる車両１０Ａの利用を制限することができる。そのため、車両１０Ａのセキュリティ性を向上させることができる。
【０１２４】
また、キーシェア要求部２３９は、オーナユーザによる所定操作に応じて、車両１０Ａの複数の常用ユーザの携帯端末２０（即ち、携帯端末２０Ａａ，２０Ａｂの少なくとも一方）を配信対象とし、利用可能な期間が重複する認証キーの配信をセンタサーバ３０に要求してもよい。つまり、キーシェア要求では、認証キーの配信対象である複数の常用ユーザが指定されてもよく、その中にオーナユーザが含まれてもよい。また、キーシェア要求では、指定される複数の常用ユーザごとの認証キーの利用可能な期間は、重複していてもよい。これにより、同時期に利用可能な車両１０Ａの認証キーを複数の常用ユーザでシェアできる。そのため、例えば、複数人で車両１０Ａに同乗して旅行やキャンプ等に出かける際、認証キーが保存された携帯端末２０を貸し借りすることなく、それぞれの同乗人が車両１０Ａを施解錠等することができるため、ユーザの利便性を向上させることができる。
【０１２５】
また、キーシェア要求部２３９は、オーナユーザによる所定の操作に応じて、既に配信済の認証キーを他の携帯端末２０（つまり、キーアプリがインストールされる携帯端末２０）にシェアしてもよい（以下、当該認証キーのシェア態様を「臨時キーシェア」と称する）。このとき、他の携帯端末２０は、子ユーザの携帯端末２０Ａｂであってもよいし、子ユーザ以外のユーザ、つまり、車両１０Ａを一時的に利用するユーザの携帯端末２０であってもよい。
【０１２６】
例えば、キーシェア要求部２３９は、通信処理部２３１を通じて、認証キー（具体的には、認証キーの複製）を他の携帯端末２０に送信する。これにより、急に、車両１０Ａに同乗して複数人で旅行等に行くことになった場合であっても、車両１０Ａのオーナユーザは、他のユーザと認証キーをシェアすることができる。また、携帯端末２０Ａａから直接的に他の携帯端末２０に同時期に利用可能な認証キーをシェアすることができる。そのため、例えば、携帯端末２０Ａａが無線移動体通信網における通信状況が悪い場所や通信圏外にある場合であっても、車両１０Ａのオーナユーザは、他のユーザと認証キーをシェアすることができる。
【０１２７】
このとき、キーシェア要求部２３９は、オーナユーザによる所定の操作に基づき設定される、或いは、予め規定される、利用可能な期間又は回数に関する権限や車両１０Ａの解錠或いは起動に関する権限が制限された認証キーを、通信処理部２３１を通じて、他の携帯端末２０に送信してよい。具体的には、例えば、利用可能な期間や回数を３０分や１回等に制限する権限が付与された認証キーや、車両１０Ａの乗降用ドアの施解錠だけに制限したり、車両１０Ａの起動を禁止したり等する権限が付与された認証キーが、他の携帯端末２０に送信されてよい。以下、センタサーバ３０を介して行われる臨時キーシェアの場合についても同様である。これにより、臨時キーシェアによる車両１０Ａのセキュリティ性を向上させることができる。
【０１２８】
また、キーシェア要求部２３９は、臨時キーシェアを行う場合に、通常のキーシェアの場合と同様、センタサーバ３０から他の携帯端末２０に認証キーを配信させてもよい。このとき、キーシェア要求部２３９は、通信処理部２３２を通じて、配信済みの認証キーを特定する情報（例えば、認証キーに埋め込まれる発行ＩＤ等）、及び、配信対象の他の携帯端末２０を指定する情報を含む臨時キーシェア要求をセンタサーバ３０に送信することにより、センタサーバ３０から他の携帯端末２０に車両１０Ａの認証キーを配信させてよい。
【０１２９】
例えば、キーシェア要求部２３９は、他の携帯端末２０が子ユーザの携帯端末２０Ａｂである場合、通信処理部２３２を通じて、子ユーザＩＤを含む臨時キーシェア要求をセンタサーバ３０に送信してよい。
【０１３０】
また、例えば、キーシェア要求部２３９は、通信処理部２３１等を通じて、他の携帯端末２０から所定の識別情報（例えば、キーアプリのインストールユーザとしてセンタサーバ３０に登録される他の携帯端末２０のユーザに対応するＱＲコード（登録商標））を取得する。そして、キーシェア要求部２３９は、当該識別情報に基づき特定される他の携帯端末２０を配信対象として指定する臨時キーシェア要求をセンタサーバ３０に送信してよい。
【０１３１】
尚、携帯端末２０Ａａは、他の方法で、当該識別情報を取得してもよい。例えば、携帯端末２０Ａａは、搭載されるカメラ機能を利用して、他の携帯端末２０のディスプレイ２４に表示される識別情報を認識する態様で、他の携帯端末２０のユーザに対応する識別情報を取得してもよい。また、例えば、携帯端末２０Ａａは、他の携帯端末２０のユーザからオーナユーザのメールアドレスやＳＮＳのアカウントに送信された識別情報を取得してもよい。
【０１３２】
また、例えば、キーシェア要求部２３９は、オーナユーザによる所定の操作に応じて、携帯端末２０Ａａの現在位置の周辺に存在する他の携帯端末２０の候補となる候補端末に関する候補端末情報を要求する候補端末情報要求を、通信処理部２３２を通じて、センタサーバ３０に送信する。また、キーシェア要求部２３９は、通信処理部２３２によりセンタサーバ３０から候補端末情報が受信された場合、ディスプレイ２４に候補端末情報を表示させる。このとき、センタサーバ３０から返信される候補端末情報には、候補端末のうち、特定の操作或いは動作が行われている候補端末を特定する情報が含まれてよい。これにより、キーシェア対象の他の携帯端末２０のユーザが当該携帯端末２０に対して特定の操作或いは動作を行うことで、車両１０Ａのオーナユーザは、携帯端末２０Ａａのディスプレイ２４に表示される候補端末の中から他の携帯端末２０を特定することができる。そして、キーシェア要求部２３９は、オーナユーザによる所定の操作により、候補端末の中から特定された他の携帯端末２０を配信対象として指定する臨時キーシェア要求をセンタサーバ３０に送信してよい。
【０１３３】
また、キーシェア要求部２３９は、オーナユーザによる所定の操作に応じて、キーアプリを起動しセンタサーバ３０から認証キーを他の携帯端末２０に取得させるためのＵＲＬ（Uniform Resource Locator）スキームによるリンク情報（以下、単に「リンク情報」と称する）を、通信処理部２３２を通じて、他の携帯端末２０のユーザのメールアドレスやＳＮＳのアカウントに送信してもよい。このとき、キーシェア要求部２３９は、オーナユーザによる所定操作に応じて、通信処理部２３２を通じて、取得済の認証キーを指定する臨時キーシェア要求をセンタサーバ３０に送信し、臨時キーシェア要求に応じてセンタサーバ３０から返信されるリンク情報を取得する。これにより、キーシェア要求部２３９は、センタサーバ３０から他の携帯端末２０に認証キーを配信させることができる。
【０１３４】
また、臨時キーシェアは、既に認証キーが配信済の子ユーザの携帯端末２０Ａｂから実行可能な態様であってもよい。即ち、キーシェア要求部２３９のうちの臨時キーシェアに関する機能は、子ユーザの携帯端末２０Ａｂの処理装置２３にインストールされるキーアプリの機能に含まれていてもよい。これにより、オーナユーザを含まない複数人で車両１０Ａに同乗する場合についても、認証キーを取得済みの子ユーザの携帯端末２０Ａｂを複数人の間で貸し借りする必要がなく、車両１０Ａの子ユーザの利便性を更に向上させることができる。以下、子ユーザの携帯端末２０Ａｂから臨時キーシェアが可能な前提で説明を進める。
【０１３５】
センタサーバ３０の処理装置３２は、上述の如く、通信処理部３２１と、条件判定部３２２と、認証キー発行部３２３と、記憶部３２０を含む。また、センタサーバ３０の処理装置３２は、位置情報管理部３２４と、スケジュール管理部３２５と、登録管理部３２６と、キーシェア管理部３２７を含む。
【０１３６】
条件判定部３２２は、通信処理部３２１により携帯端末２０Ａａ，２０Ａｂから認証キー取得要求が受信された場合、認証キー取得要求に含まれる常用ユーザＩＤ及びそのパスワードに基づく認証を行う。条件判定部３２２は、例えば、記憶部３２０に登録される常用ユーザＩＤ及びそのパスワードと、認証キー取得要求に含まれる常用ユーザＩＤ及びそのパスワードを照合し、一致する場合、認証成功、つまり、正規の認証キー取得要求であると判定する。
【０１３７】
また、条件判定部３２２は、後述するキーシェア管理部３２７から送られる認証キー手配要求が正規の認証キー手配要求であるか否かを判定する。例えば、条件判定部３２２は、キーシェア管理部３２７からの認証キー手配要求に含まれる認証情報（例えば、ＩＤ及びパスワード）等に基づき、認証が成功した場合、正規の認証キー手配要求であると判定してよい。
【０１３８】
認証キー発行部３２３は、条件判定部３２２により正規の認証キー取得要求或いは正規の認証キー手配要求であると判定された場合に、認証キーを発行し、通信処理部３２１を通じて、対象となる携帯端末２０に認証キーを配信する。
【０１３９】
位置情報管理部３２４は、通信処理部３２１を介して、車両１０Ａから位置情報を取得し、車両１０Ａの位置情報をリアルタイムにモニタリングすることにより、車両１０Ａの移動状況を把握する。これにより、例えば、位置情報管理部３２４は、通信処理部３２１を介して、子ユーザに貸与されている車両１０Ａの位置情報をオーナユーザに通知することができる。また、例えば、位置情報管理部３２４は、通信処理部３２１を介して、子ユーザに貸与される予定の車両１０Ａが指定位置（自宅等）に向かっているかどうかやどのくらいで戻ってくるか等の情報を子ユーザの携帯端末２０Ａｂに通知することができる。
【０１４０】
スケジュール管理部３２５は、各種サービスに関する車両１０Ａの利用状況を管理する。例えば、スケジュール管理部３２５は、定期的に、キーシェア管理部３２７からキーシェアサービスによる車両１０の利用スケジュール、具体的には、キーシェアサービスにより配信される認証キーの利用可能日時に関する情報を取得する。また、スケジュール管理部３２５は、通信処理部３２１を介して、配送管理サーバ５０及びＣ２Ｃカーシェア管理サーバ７０からトランク配送サービス及びＣ２Ｃカーシェアサービスのそれぞれによる車両１０Ａの利用スケジュールを取得する。そして、スケジュール管理部３２５は、取得した各種サービスに関する車両１０Ａの利用スケジュールに基づき、複数のサービスに亘る車両１０Ａの利用予定に関する情報（車両利用予定情報）を生成し、記憶部３２０に保存される古い車両利用予定情報を更新する。
【０１４１】
登録管理部３２６は、通信処理部３２１によりオーナユーザの携帯端末２０Ａａから受信されるユーザ登録要求に応じて、各種サービスを利用する常用ユーザ（子ユーザ）の登録を行う。例えば、登録管理部３２６は、携帯端末２０Ａａからのユーザ登録要求に含まれるオーナユーザＩＤ及びパスワードと、記憶部３２０に保存されるオーナユーザＩＤ及びパスワードを照合し、一致する場合、正規のユーザ登録要求であると判定する、つまり、認証成功と判定する。そして、登録管理部３２６は、正規のユーザ登録要求に含まれる子ユーザＩＤを、各種サービスを利用可能な常用ユーザとして記憶部３２０内のユーザ・サービス登録情報ＤＢ（Data Base）に登録する。
【０１４２】
また、登録管理部３２６は、通信処理部３２１によりオーナユーザの携帯端末２０Ａａから受信されるサービス利用登録要求に応じて、車両１０Ａの常用ユーザによる各種サービスの利用登録を行う。つまり、登録管理部３２６は、サービス利用登録要求に応じて、車両１０Ａのユーザが各種サービスを利用するための各種サービスに対応するキーシェア管理部３２７やサービス管理サーバ４０の認証キー手配権限の登録を行う。例えば、登録管理部３２６は、携帯端末２０Ａａからのサービス利用登録要求に含まれるオーナユーザＩＤ及びパスワードに基づき、上記と同様の認証処理を行い、正規のサービス利用登録要求であるか否かを判定する。また、登録管理部３２６は、正規のサービス利用登録要求である場合、サービス利用登録要求に含まれる常用ユーザＩＤが既にユーザ・サービス登録情報ＤＢに登録済であるか否かを判定する。そして、登録管理部３２６は、サービス利用登録要求に含まれる常用ユーザＩＤが既にユーザ・サービス登録情報ＤＢに登録済である場合、サービス利用登録要求で特定される対象のサービスを、当該常用ユーザＩＤに対応する常用ユーザが利用可能なサービスとして記憶部３２０内のユーザ・サービス登録情報ＤＢ（Data Base）に登録する。
【０１４３】
具体的には、登録管理部３２６は、オーナユーザＩＤに、対象となるサービスを特定するサービス固有情報と、車両１０Ａを特定する車両固有情報と、サービスを利用する常用ユーザを特定する常用ユーザＩＤと、車両１０Ａに対応する車両固有情報及び常用ユーザＩＤと対象のサービスとを対応させるサービスリンク情報とを紐付ける態様のユーザ・サービス登録情報ＤＢを構築する。
【０１４４】
サービス固有情報は、例えば、サービスごとに規定されるサービスＩＤである。具体的には、例えば、Ｃ２Ｃカーシェアサービスを提供する事業者が複数ある場合、複数の事業者ごとに固有のサービスＩＤが規定され、例えば、同じ事業者が複数のＣ２Ｃカーシェアサービスを提供している場合、同じ事業者が提供する複数のサービスごとに固有のＩＤが規定される。また、複数の配送事業者と複数のＥＣ事業者の相互間の組み合わせによって、トランク配送サービスが提供される場合、配送事業者とＥＣ事業者との組み合わせごとに、固有のサービスＩＤが規定されてもよいし、複数の配送事業者ごとに規定される固有のサービスＩＤと複数のＥＣ事業者ごとに規定される固有のサービスＩＤの組み合わせによって、対象のサービスが特定されてもよい。
【０１４５】
車両固有情報は、認証キーによる施解錠或いは起動の対象である車両１０Ａを特定可能であれば、任意の情報であってよい。例えば、車両１０Ａごとに規定される、車両ＩＤやＶＩＮ等の識別情報であってよいし、例えば、キーユニット１２等の車両１０Ａに搭載される認証キーに基づくドアの施解錠或いは起動に関連する車載装置ごとに規定される、キーユニットＩＤ等の識別情報であってもよい。以下、車両固有情報は、キーユニットＩＤである前提で説明を進める。
【０１４６】
サービスリンク情報は、各種サービスを管理するキーシェア管理部３２７、配送管理サーバ５０及びＥＣサーバ６０、並びに、Ｃ２Ｃカーシェア管理サーバ７０が、認証キー手配要求を送ることにより、認証キー発行部３２３に認証キーの発行及び対象の携帯端末２０への認証キーの配信をさせるために必要な情報である。つまり、認証キー発行部３２３は、キーシェア管理部３２７、配送管理サーバ５０及びＥＣサーバ６０、並びに、Ｃ２Ｃカーシェア管理サーバ７０からサービスリンク情報を含む認証キー手配要求を受け付けることにより、認証キーによる施解錠或いは起動の対象である車両１０Ａを特定し、適切な認証キーを発行することができる。
【０１４７】
サービスリンク情報は、センタサーバ３０において、対象サービスと車両１０Ａ及び該サービスを利用するユーザとの間を対応づけられれば、任意の情報であってよい。例えば、サービスリンク情報は、キーシェア管理部３２７、配送管理サーバ５０、ＥＣサーバ６０、及び、Ｃ２Ｃカーシェア管理サーバ７０に対応する各種サービスのユーザ向けのウェブサイトにおける常用ユーザのログインＩＤ（以下、便宜的に「サービスログインＩＤ」と称する）等であってよい。この場合、携帯端末２０Ａａのサービス利用登録要求部２３７は、通信処理部２３２を介して、各種サービスに対応する登録対象の常用ユーザのサービスログインＩＤを含むサービス利用登録要求をセンタサーバ３０に送信する。また、各種サービスに対応する登録対象の常用ユーザがサービスログインＩＤを未取得の場合、携帯端末２０Ａａの処理装置２３は、所定のブラウザを起動させ、各種サービスのウェブサイトのサービスログインＩＤを取得させてもよい。これにより、配送管理サーバ５０やＣ２Ｃカーシェア管理サーバ７０は、対象のサービスの依頼時に利用者（車両１０Ａの常用ユーザ）がウェブサイトにログインするときに、サービスリンク情報に相当するサービスログインＩＤを把握し、サービス提供に関する認証キーの手配を容易に行うことができる。以下、トランク配送サービス及びＣ２Ｃカーシェアサービスに関するサービスリンク情報は、上記サービスログインＩＤである前提で説明を進める。
【０１４８】
また、センタサーバ３０は、複数の車両１０Ａを常用的に利用する常用ユーザの場合、サービスログインＩＤだけでは、常用ユーザを特定できても、車両１０Ａを特定することができない。そのため、サービスリンク情報には、サービスログインＩＤに加えて、車両１０Ａを間接的に特定するための情報（例えば、車両固有情報を所定の方式で暗号化した情報等）が含まれる。
【０１４９】
登録管理部３２６は、各種サービスの利用登録が完了した場合、通信処理部３２１を介して、登録対象の常用ユーザに対応する携帯端末２０Ａａ，２０Ａｂにその旨を通知する。また、登録管理部３２６は、各種サービスの利用登録が完了した場合、登録対象のサービスの運用管理を行うキーシェア管理部３２７やサービス管理サーバ４０に、サービスリンク情報を含むサービス利用登録完了通知を送信する。
【０１５０】
尚、携帯端末２０Ａａ，２０Ａｂに対する各種サービスの利用登録が完了した旨の通知は、サービス利用登録完了通知を受信したサービス管理サーバ４０から送信されてもよい。
【０１５１】
また、登録管理部３２６は、通信処理部３２１により携帯端末２０Ａａからサービス利用状況要求が受信された場合、記憶部５２０のユーザ・サービス登録情報ＤＢやスケジュール管理部３２５により管理される車両利用予定情報等に基づき、サービス利用状況情報を生成し、通信処理部３２１を介して、携帯端末２０Ａａに配信する。
【０１５２】
キーシェア管理部３２７は、キーシェアサービスの運用管理を行う。
【０１５３】
例えば、キーシェア管理部３２７は、通信処理部３２１によりオーナユーザの携帯端末２０Ａａから受信されるキーシェア要求に応じて、キーシェア要求で指定される常用ユーザＩＤに対応する携帯端末２０Ａａ，２０Ａｂへの認証キーの手配を行う。具体的には、キーシェア管理部３２７は、キーシェア要求に含まれるオーナユーザＩＤ及びパスワードと、記憶部３２０に保存されるオーナユーザＩＤ及びパスワードを照合し、一致する場合、正規のキーシェア要求であると判定する。また、キーシェア管理部３２７は、スケジュール管理部３２５に問い合わせを行い、キーシェア要求に含まれる利用期間情報と、最新の車両利用予定情報との間に、不整合、つまり、複数のサービス及び複数の常用ユーザに亘る車両１０Ａの利用に関する利用日時の重複がないかを判定する。そして、キーシェア管理部３２７は、利用時間の重複が無い場合、キーシェア要求に含まれる情報から特定される、認証キーの配信対象の携帯端末２０Ａａ，２０Ａｂに対応する常用ユーザ、及び、認証キーによる施解錠或いは起動対象である車両１０Ａに関する情報と、それぞれの携帯端末２０Ａａ，２０Ａｂの利用可能な期間、回数、解錠可能なドア、起動可否等の権限情報を含む認証キー手配要求を認証キー発行部３２３に送る。これにより、認証キー発行部３２３は、認証キーの配信対象の携帯端末２０Ａａ，２０Ａｂに対応する常用ユーザＩＤと、認証キーによる施解錠或いは起動の対象の車両１０Ａを特定し、適切な認証キーを発行できる。
【０１５４】
また、キーシェア管理部３２７は、例えば、記憶部３２０に格納される、キーシェア要求で指定される認証キーの配信対象である携帯端末２０Ａａ，２０Ａｂのユーザの属性情報（例えば、年齢や運転免許の有無等）を確認する。そして、キーシェア管理部３２７は、認証キーの配信対象の携帯端末２０Ａａ，２０Ａｂのユーザ（車両１０Ａの常用ユーザ）が車両１０Ａを運転できないと判断されるユーザである場合、当該ユーザの携帯端末２０に、車両１０Ａの起動不可の権限が付与された認証キーが発行されるようにする。車両１０Ａを運転できないユーザは、例えば、運転免許証の取得可能年齢に到達していないユーザや、運転免許証を取得していないユーザ等である。具体的には、キーシェア管理部３２７は、車両１０Ａを運転できないと判断されたユーザに対応する携帯端末２０Ａａ，２０Ａｂに対応する権限情報に、車両１０Ａの起動を禁止する旨が含まれる認証キー手配要求を認証キー発行部３２３に送る。これにより、認証キー発行部３２３は、車両１０Ａを運転できないユーザの携帯端末２０Ａａ，２０Ａｂに、車両１０Ａの起動が禁止される権限が付与された認証キーを配信することができるため、キーシェアサービスにおける車両１０Ａの安全性を向上させることができる。
【０１５５】
また、例えば、キーシェア管理部３２７は、通信処理部３２１によりオーナユーザの携帯端末２０Ａａから受信される臨時キーシェア要求に基づき、臨時キーシェア要求で指定される他の携帯端末２０に車両１０Ａの認証キーを配信する。具体的には、キーシェア管理部３２７は、記憶部３２０に格納されるキーアプリのインストールユーザ情報ＤＢに基づき、配信対象の他の携帯端末２０に対応するインストールユーザのＩＤ（以下、「インストールユーザＩＤ」と称する）を特定する。そして、キーシェア管理部３２７は、特定されたインストールユーザＩＤと、臨時キーシェア要求で指定される認証キーに対応する情報（例えば、臨時キーシェア要求に含まれる認証キーの発行ＩＤ等）を含む認証キー手配要求を認証キー発行部３２３に送る。これにより、認証キー発行部３２３は、インストールユーザＩＤと、認証キーの発行ＩＤ等に基づき、配信対象の他の携帯端末２０を特定し、通信処理部３２１を介して、認証キーを当該他の携帯端末２０に配信することができる。
【０１５６】
尚、キーシェア管理部３２７の機能は、車両１０Ａを利用する他のサービスと同様、サービス管理サーバ４０に含まれうる、センタサーバ３０の外部のサーバ（キーシェア管理サーバ）に移管されてもよい。
【０１５７】
子ユーザが所持する携帯端末２０Ａｂは、上述の如く、通信処理部２３１と、通信処理部２３２と、認証キー取得部２３３と、認証要求部２３４と、施解錠要求部２３５と、記憶部２３０を含む。
【０１５８】
尚、本実施形態では、携帯端末２０Ａｂの認証キー取得部２３３の機能は、上記キーアプリが起動され、且つ、センタサーバ３０との双方向通信に基づくユーザ認証が成功することにより、子ユーザによる利用が可能になる前提で説明を進める。また、当該ユーザ認証は、子ユーザＩＤ及びそのパスワードに基づき、センタサーバ３０で行われる前提で説明を進める。また、携帯端末２０Ａｂの認証要求部２３４及び施解錠要求部２３５等の機能は、キーアプリが起動されることにより、子ユーザによる利用が可能になる前提で説明を進める。
【０１５９】
認証キー取得部２３３は、上述の如く、通信処理部２３２を介して、携帯端末２０Ａａからセンタサーバ３０に送信されるキーシェア要求に応じてセンタサーバ３０から配信される認証キーを取得する。これにより、携帯端末２０Ａｂは、通信処理部２３１、認証要求部２３４、及び、施解錠要求部２３５の機能に基づき、車両１０Ａのドアを施錠及び解錠したり、車両１０Ａを起動させたりすることができる。つまり、携帯端末２０Ａｂを所持する子ユーザは、キーシェアサービスによって、オーナユーザとの間での鍵の受け渡しを行うことなく、携帯端末２０Ａｂを利用して、車両１０Ａを施錠及び解錠し、車両１０Ａを運転する等、直接的に利用することができる。また、同様に、オーナユーザは、子ユーザとの間での鍵の受け渡しを行うことなく、車両１０Ａを子ユーザに貸し出すことができる。そのため、認証キー管理システム１におけるキーシェアサービスによって、車両１０Ａのオーナユーザと子ユーザとの間での車両１０Ａの貸し借りにおける利便性を向上させることができる。
【０１６０】
また、認証キー取得部２３３は、上述の如く、通信処理部２３２を介して、携帯端末２０Ａａからセンタサーバ３０に送信される臨時キーシェア要求に応じてセンタサーバ３０から配信される認証キーを取得する。臨時キーシェア要求に応じて、子ユーザの携帯端末２０Ａｂ以外の他の携帯端末２０に認証キーが配信される場合についても同様である。これにより、携帯端末２０Ａｂを含む他の携帯端末２０は、通信処理部２３１、認証要求部２３４、及び、施解錠要求部２３５の機能に基づき、車両１０Ａのドアを施解錠したり、車両１０Ａを起動したりすることができる。つまり、携帯端末２０Ａｂを所持する子ユーザは、例えば、他の常用ユーザを含む複数人で車両１０Ａに同乗して外出する等の場合に、前もって、認証キーを取得していない場合であっても、認証キーが配信済みの携帯端末２０Ａａ，２０Ａｂを借りる必要がなく、携帯端末２０Ａｂを利用して、車両１０Ａを施錠及び解錠したり、車両１０Ａを運転したりする等、直接的に利用することができる。また、同様に、オーナユーザは、前もって、子ユーザの携帯端末２０Ａｂに認証キーを取得させなかった場合であっても、自分の携帯端末２０Ａａを子ユーザに貸す必要がない。そのため、認証キー管理システム１における臨時キーシェアによって、車両１０Ａの常用ユーザを含む複数人で車両１０Ａが同乗利用される場合におけるユーザの利便性を向上させることができる。
【０１６１】
［トランク配送サービスに関する構成の詳細］
次に、図４を参照して、認証キー管理システム１におけるトランク配送サービスに関する構成について説明する。
【０１６２】
図４は、認証キー管理システム１におけるトランク配送サービスに関する構成の一例を中心に示す図である。以下、図４について、認証キー管理システム１におけるトランク配送サービスに関する構成を中心に説明し、上述したキーシェアサービスに関する構成と重複する構成に関する重複する説明を極力省略する。
【０１６３】
車両１０Ａのオーナユーザが所持する携帯端末２０Ａａの処理装置２３は、上述の如く、通信処理部２３２と、ユーザ登録要求部２３６と、サービス利用登録要求部２３７と、サービス利用状況要求部２３８を含む。
【０１６４】
ユーザ登録要求部２３６は、上述の如く、オーナユーザによる所定の操作に応じて、トランク配送サービスを含む各種サービスを利用する車両１０Ａの常用ユーザ（子ユーザ）の登録をセンタサーバ３０に要求する。
【０１６５】
サービス利用登録要求部２３７は、上述の如く、オーナユーザによる所定の操作に応じて、登録された常用ユーザ（オーナユーザ或いは子ユーザ）ごとのトランク配送サービスを含む各種サービスの利用登録をセンタサーバ３０に要求する。
【０１６６】
例えば、サービス利用登録要求部２３７は、サービスリンク情報として、登録対象の車両１０Ａの常用ユーザに対応する、配送管理サーバ５０のサービスを利用するユーザ向けのウェブサイト（以下、「配送サイト」と称する）のサービスログインＩＤ及びＥＣサイトのサービスログインＩＤを含む、トランク配送サービスを利用するためのサービス利用登録要求をセンタサーバ３０に送信する。
【０１６７】
サービス利用状況要求部２３８は、上述の如く、オーナユーザによる所定の操作に応じて、オーナユーザＩＤに対応する形で利用登録済の車両１０Ａの常用ユーザによるトランク配送サービスを含む各種サービスの利用状況に関する情報（サービス利用状況情報）をセンタサーバ３０に要求する。
【０１６８】
配送管理サーバ５０は、通信機器５１と、処理装置５２を含む。
【０１６９】
通信機器５１は、所定の通信ネットワークを通じて、携帯端末２０、センタサーバ３０、及び、ＥＣサーバ６０のそれぞれと双方向で通信を行う任意のデバイスである。
【０１７０】
処理装置５２は、例えば、ＲＯＭや補助記憶装置に格納される一以上のプログラムをＣＰＵ上で実行することにより実現される機能部として、通信処理部５２１、サービス連携登録部５２２と、配送受付部５２３と、配送管理部５２４を含む。また、処理装置５２は、サーバコンピュータの補助記憶装置等の記憶領域として実現される記憶部５２０を含む。
【０１７１】
通信処理部５２１は、通信機器５１を制御し、携帯端末２０、センタサーバ３０、及び、ＥＣサーバ６０のそれぞれとの間で、制御信号や情報信号等の各種信号の送受信を行う。
【０１７２】
サービス連携登録部５２２は、通信処理部５２１によりセンタサーバ３０から受信されるサービス利用登録完了通知に応じて、車両１０Ａの常用ユーザのトランク配送サービスの利用に関するセンタサーバ３０と配送管理サーバ５０との間での連携のための情報登録を行う。
【０１７３】
例えば、サービス連携登録部５２２は、記憶部５２０に構築される配送サイトのユーザを管理するユーザ管理ＤＢの中のサービス利用登録完了通知に含まれるサービスログインＩＤ（サービスリンク情報）に対して、トランク配送サービスの利用対象である旨のフラグを追加する。また、併せて、サービス連携登録部５２２は、記憶部５２０のユーザ管理ＤＢの中のサービス利用登録完了通知に含まれるサービスログインＩＤに対して、サービス利用登録完了通知に含まれるＥＣサーバ６０に対応するウェブサイト（即ち、ＥＣサイト）のサービスログインＩＤを紐付ける態様で登録する。これにより、配送管理サーバ５０は、通信処理部５２１によりＥＣサーバ６０からサービスログインＩＤを含む注文受付が受信された場合に、対応する配送サイトのサービスログインＩＤを特定することができる。そして、配送管理サーバ５０は、特定されたサービスログインＩＤを含む認証キー手配要求をセンタサーバ３０に送信することにより、後述の如く、センタサーバ３０から配達員の携帯端末２０Ａｃに認証キーを配信させることができる。
【０１７４】
配送受付部５２３は、通信処理部５２１を介して、ＥＣサーバ６０からＥＣサイトにおける商品の注文者に対応するＥＣサイトのサービスログインＩＤを含む荷物の配送依頼に関する情報（配送依頼情報）を受け付ける。ＥＣサーバ６０から受け付けられる配送依頼情報には、配送先の注文者の氏名、住所、電話番号等の基本情報の他、指定された配達先に関する情報（配達先情報）、指定された配達日時に関する情報（配達日時情報）等が含まれる。
【０１７５】
配送管理部５２４は、配送受付部５２３により受け付けられた配送依頼に関する荷受けから配達までの各工程の運用管理を行う。
【０１７６】
例えば、配送管理部５２４は、配送依頼の配達先情報で指定された車両１０Ａの駐車位置を管轄する営業所に荷物が到着した旨の通知を受け付けると、指定された配達時間帯に合わせて、当該荷物を配達に出発する日時や担当の配達員等を決定する。
【０１７７】
続いて、配送管理部５２４は、当該荷物の出発前（例えば、出発予定時刻の１０分前）に、通信処理部５２１を介して、センタサーバ３０に車両１０Ａの位置情報を問い合わせる。このとき、当該問い合わせには、トランク配送サービスの利用者である車両１０Ａの常用ユーザの配送サイトにおけるサービスログインＩＤ（即ち、サービスリンク情報）が含まれる。後述の位置情報の問い合わせについても同様である。そして、配送管理部５２４は、通信処理部５２１を介して、センタサーバ３０から車両１０Ａの現在の位置情報を取得し、指定された車両１０Ａの駐車位置との一致性や管轄エリアとの関係性等から配達可否を判断する。
【０１７８】
続いて、配送管理部５２４は、配達可能と判断すると、通信処理部５２１を介して、配達員の携帯端末２０Ａｃに対して、当該荷物を車両１０Ａのトランクに配達可能である旨の通知（配達可能通知）を送信する。
【０１７９】
続いて、配送管理部５２４は、配達可能通知を受信した携帯端末２０Ａｃから認証キー取得要求が通信処理部５２１により受信されると、正規の認証キー取得要求であるか否かを判定する。具体的には、配送管理部５２４は、当該認証キー取得要求に含まれうる配達員、届け先（例えば、受取人の氏名或いは法人名等）、荷物の種別、配達時間帯、配達場所等の配達対象の荷物に関する情報（以下、便宜的に「配達荷物情報」と称する）と、記憶部５２０に登録されている当該荷物に関する各種情報とを照合することにより、当該判定を行ってよい。そして、配送管理部５２４は、正規の認証キー取得要求であると判定すると、通信処理部５２１を介して、認証キー手配要求をセンタサーバ３０に送信する。このとき、認証キー手配要求には、配達員の携帯端末２０Ａｃを特定するための情報、が含まれる。配達員を特定するための情報は、例えば、配達員が携帯端末２０Ａｃの認証キー取得部２３３等に対応する上記キーアプリの機能を利用するためにセンタサーバ３０におけるユーザ認証を受けるための認証用ＩＤ（以下、便宜的に「配達員ＩＤ」と称する）であってよい。これにより、配達員の携帯端末２０Ａｃは、センタサーバ３０から認証キーを取得できる。
【０１８０】
続いて、配送管理部５２４は、通信処理部５２１を介して、営業所から配達に出かけた配達員の携帯端末２０Ａｃから車両１０Ａの現在位置の問い合わせを受け付けると、センタサーバ３０に車両１０Ａの現在の位置情報を問い合わせる。そして、配送管理部５２４は、通信処理部５２１を介して、センタサーバ３０から車両１０Ａの現在の位置情報を取得し、配達員の携帯端末２０Ａｃに車両１０Ａの現在の位置情報を送信（転送）する。これにより、出先の配達員は、車両１０Ａの現在の位置情報と、配達先情報で指定された車両１０Ａの駐車位置に関する情報とを比較し、配達するか持ち帰るかなどを判断することができる。
【０１８１】
最後に、配送管理部５２４は、通信処理部５２１を介して、当該荷物の配達を完了した配達員の携帯端末２０Ａｃから受信される配達完了通知を受信すると、当該荷物に関するトランク配送サービスに関する運用管理は基本的に終了する。このとき、配送管理部５２４は、電子メールや携帯端末２０Ａａ，２０Ａｂにインストールされる、配送サイトと連携する所定のアプリを通じて、依頼主（ＥＣサイトにおける商品の購入者）である車両１０Ａの常用ユーザに配達完了した旨を通知してもよい。
【０１８２】
尚、車両１０ＡのＤＣＭ１４は、上述の如く、車両１０Ａのトランクにアクセスするドア（トランクリッド等）が解錠された後に、施錠された場合に、配達員による配達が完了したと判断し、センタサーバ３０にその旨を通知してもよい。これにより、センタサーバ３０は、当該通知が受信された場合に、配達完了通知を配送管理サーバ５０に送信することができる。つまり、配達完了通知は、センタサーバ３０から配送管理サーバ５０に送信されてもよい。
【０１８３】
ＥＣサーバ６０は、通信機器６１と、処理装置６２を含む。
【０１８４】
通信機器６１は、所定の通信ネットワークを通じて、携帯端末２０、センタサーバ３０、及び、配送管理サーバ５０のそれぞれと双方向で通信を行う任意のデバイスである。
【０１８５】
処理装置５２は、例えば、ＲＯＭや補助記憶装置に格納される一以上のプログラムをＣＰＵ上で実行することにより実現される機能部として、通信処理部６２１、ウェブリソース送信部６２２、サービス連携登録部６２３と、注文受付処理部６２４を含む。また、処理装置６２は、サーバコンピュータの補助記憶装置等の記憶領域として実現される記憶部６２０を含む。
【０１８６】
通信処理部６２１は、通信機器６１を制御し、携帯端末２０、センタサーバ３０、及び、配送管理サーバ５０のそれぞれとの間で、制御信号や情報信号等の各種信号の送受信を行う。
【０１８７】
ウェブリソース送信部６２２は、記憶部６２０に保存される、ＥＣサイトのリソースとしての各種情報に基づき、携帯端末２０Ａａ，２０Ａｂを含むＥＣサイトを閲覧するユーザの任意の端末のブラウザ上に表示させるウェブページに対応するリソースを、所定の方式で当該端末のブラウザに送信する。ＥＣサイトに表示されうるウェブページには、ＥＣサイトのトップページ、ＥＣサイトで取り扱う個々の商品に対応するウェブページ、個々の商品の注文時にユーザが各種情報を入力する注文入力ページ等が含まれる。例えば、ウェブリソース送信部６２２は、ウェブページに対応するＨＴＭＬ（Hyper Text Markup Language）ドキュメントと、ウェブページ上に表示される画像、動画等のＨＴＭＬドキュメントの配下の情報を並列して送信する。
【０１８８】
サービス連携登録部６２３は、通信処理部６２１によりセンタサーバ３０から受信されるサービス利用登録完了通知に応じて、車両１０Ａの常用ユーザのトランク配送サービスの利用に関するセンタサーバ３０とＥＣサーバ６０との間での連携のための情報登録を行う。例えば、サービス連携登録部６２３は、記憶部６２０に構築されるＥＣサイトのユーザを管理するユーザ管理ＤＢの中のサービス利用登録完了通知に含まれるサービスログインＩＤに対して、トランク配送サービスの利用対象である旨のフラグを追加する。また、併せて、サービス連携登録部６２３は、ユーザ管理ＤＢの中のサービス利用登録完了通知に含まれるサービスログインＩＤに対して、サービス利用登録完了通知に含まれる配送管理サーバ５０に対応するウェブサイト（即ち、配送サイト）のサービスログインＩＤを紐付ける態様で登録する。これにより、ＥＣサーバ６０は、例えば、通信処理部６２１により配送管理サーバ５０から配送サイトのサービスログインＩＤを含む注文商品に関する問い合わせ等が受信された場合に、対応するＥＣサイトのサービスログインＩＤを特定することができる。
【０１８９】
注文受付処理部６２４は、ＥＣサイトにおけるユーザの商品の注文に対応する各種操作入力に基づき、ユーザからの商品の注文を受け付ける。このとき、注文受付処理部６２４は、ＥＣサイトの注文入力ページにおいて、車両１０Ａのトランクが配達先として選択された場合、通信処理部６２１を介して、センタサーバ３０に車用利用予定情報を問い合わせる。これにより、注文受付処理部６２４は、通信処理部６２１を介して、最新の車両利用予定情報を取得することができるため、例えば、指定された配達日時が、既に、他の予定と重複している場合、配達日時の変更を要求したり等の対応を取ることができる。
【０１９０】
尚、上述の如く、ＥＣサイトにおける注文商品以外の荷物を対象とするトランク配送サービスも想定されうる。この場合、配送管理サーバ５０は、同様に、センタサーバ３０から最新の車両利用予定情報を取得すればよい。これにより、配送管理サーバ５０は、車両１０Ａの常用ユーザから指定された車両１０Ａのトランクへの荷物の配達日時が、既に、他の予定と重複している場合、配達日時の変更を要求したり等の対応を取ることができる。
【０１９１】
センタサーバ３０の処理装置３２は、上述の如く、通信処理部３２１と、条件判定部３２２と、認証キー発行部３２３と、位置情報管理部３２４と、スケジュール管理部３２５と、登録管理部３２６と、記憶部３２０を含む。
【０１９２】
条件判定部３２２は、通信処理部３２１を介して、配送管理サーバ５０から認証キー手配要求を受信した場合、正規の認証キー手配要求であるか否かを判定する。例えば、条件判定部３２２は、認証キー手配要求に含まれる配送サイトのサービスログインＩＤや配送管理サーバ５０に対応する所定の認証情報（例えば、ＩＤ及びパスワード等）に基づき、正規の認証キー手配要求であるか否かを判定する。
【０１９３】
認証キー発行部３２３は、条件判定部３２２により正規の認証キー手配要求であると判定された場合、記憶部３２０のユーザ・サービス登録情報ＤＢに基づき、認証キー手配要求に対応する車両１０Ａを特定する。また、認証キー発行部３２３は、時限的（例えば、配信から数分から数十分の単位だけで利用可能）、且つ、利用回数が制限され（例えば、利用回数一回だけ）且つトランクリッドの施解錠だけが可能な権限が限定された認証キーを発行する。これにより、配達員による車両１０Ａの無断利用を防止し、セキュリティ性を向上させることができる。そして、認証キー発行部３２３は、通信処理部３２１を介して、認証キー手配要求で特定される配達員の携帯端末２０Ａｃに認証キーを配信する。
【０１９４】
尚、認証キーの利用可能な期間や利用回数等を制限する方法は、例えば、既知の数学的な方法やセンタサーバ３０と車両１０との間の双方向通信による方法等の任意の方法が採用されてよい。
【０１９５】
位置情報管理部３２４は、通信処理部３２１により受信される配送管理サーバ５０からの車両１０Ａの現在位置の問い合わせに応じて、通信処理部３２１を介して、車両１０Ａに位置情報要求を送信する。これにより、車両１０ＡのＤＣＭ１４は、センタサーバ３０からの位置情報要求に応じて、ＧＰＳモジュール１３から入力される車両１０Ａの位置情報をセンタサーバ３０に返信し、位置情報管理部３２４は、通信処理部３２１を介して、車両１０Ａの現在の位置情報を取得できる。そして、位置情報管理部３２４は、通信処理部３２１を介して、車両１０Ａから取得した現在の位置情報を配送管理サーバ５０に返信する。
【０１９６】
スケジュール管理部３２５は、通信処理部３２１により受信されるＥＣサーバ６０からの問い合わせに応じて、記憶部３２０に保存される最新の車両利用予定情報を、通信処理部３２１を介して、ＥＣサーバ６０に返信する。
【０１９７】
登録管理部３２６は、上述の如く、通信処理部３２１によりオーナユーザの携帯端末２０Ａａから受信されるユーザ登録要求に応じて、トランク配送サービスを含む各種サービスの利用する常用ユーザ（子ユーザ）の登録を行う。また、登録管理部３２６は、上述の如く、通信処理部３２１によりオーナユーザの携帯端末２０Ａａから受信されるサービス利用登録要求に応じて、車両１０Ａの常用ユーザによるトランク配送サービスの利用登録を行う。また、登録管理部３２６は、上述の如く、トランク配送サービスを含む各種サービスの利用登録が完了した場合、通信処理部３２１を介して、登録対象の常用ユーザに対応する携帯端末２０Ａａ，２０Ａｂにその旨を通知する。また、登録管理部３２６は、トランク配送サービスの利用登録が完了した場合、通信処理部３２１を介して、登録対象のサービスの運用管理を行う配送管理サーバ５０及びＥＣサーバ６０に、サービスリンク情報を含むサービス利用登録完了通知を送信する。
【０１９８】
配達員の携帯端末２０Ａｃの処理装置２３は、上述の如く、通信処理部２３１と、通信処理部２３２と、認証キー取得部２３３と、認証要求部２３４と、施解錠要求部２３５を含む。
【０１９９】
尚、本実施形態では、携帯端末２０Ａｃの認証キー取得部２３３、認証要求部２３４、施解錠要求部２３５の機能は、上記キーアプリが起動されることにより、オーナユーザによる利用が可能になる前提で説明を進める。
【０２００】
認証キー取得部２３３は、配達員による所定の操作に応じて、通信処理部２３２を介して、配送管理サーバ５０に認証キー取得要求を送信する。このとき、認証キー取得要求には、記憶部２３０に予め保存される上述の配達荷物情報が含まれる。これにより、配送管理サーバ５０は、認証キー取得要求に応じて、認証キー手配要求をセンタサーバ３０に送信し、センタサーバ３０は、認証キー手配要求に応じて、携帯端末２０Ａｃに認証キーを配信し、携帯端末２０Ａｃは、認証キーを取得することができる。よって、携帯端末２０Ａｃは、通信処理部２３１、認証要求部２３４、及び、施解錠要求部２３５の機能に基づき、車両１０Ａのトランクリッドを施錠及び解錠することができるため、配達員は、依頼された荷物を車両１０Ａのトランクに配達し、且つ、車両１０Ａのトランクを元通り施錠して帰ることができる。
【０２０１】
［Ｃ２Ｃカーシェアサービスに関する構成の詳細］
次に、図５を参照して、認証キー管理システム１におけるＣ２Ｃカーシェアサービスに関する構成について説明する。
【０２０２】
図５は、認証キー管理システム１におけるＣ２Ｃカーシェアサービスに関する構成の一例を中心に示す図である。以下、図５について、認証キー管理システム１におけるＣ２Ｃカーシェアサービスに関する構成を中心に説明し、上述したキーシェアサービス等に関する構成と重複する構成に関する重複する説明を極力省略する。
【０２０３】
車両１０Ａのオーナユーザが所持する携帯端末２０Ａａの処理装置２３は、上述の如く、通信処理部２３２と、ユーザ登録要求部２３６と、サービス利用登録要求部２３７、サービス利用状況要求部２３８を含む。
【０２０４】
ユーザ登録要求部２３６は、上述の如く、オーナユーザによる所定の操作に応じて、Ｃ２Ｃカーシェアサービスを含む各種サービスを利用する車両１０Ａの常用ユーザ（子ユーザ）の登録をセンタサーバ３０に要求する。
【０２０５】
サービス利用登録要求部２３７は、上述の如く、オーナユーザによる所定の操作に応じて、登録された常用ユーザ（オーナユーザ或いは子ユーザ）ごとのＣ２Ｃカーシェアサービスを含む各種サービスの利用登録をセンタサーバ３０に要求する。
【０２０６】
例えば、サービス利用登録要求部２３７は、サービスリンク情報として、登録対象の車両１０Ａの常用ユーザに対応する、Ｃ２Ｃカーシェア管理サーバ７０に対応するＣ２Ｃカーシェアサービスを利用するユーザ向けのウェブサイト（以下、「Ｃ２Ｃカーシェアサイト」と称する）のサービスログインＩＤ含む、Ｃ２Ｃカーシェアサービスを利用するためのサービス利用登録要求をセンタサーバ３０に送信する。
【０２０７】
サービス利用状況要求部２３８は、上述の如く、オーナユーザによる所定の操作に応じて、オーナユーザＩＤに対応する形で利用登録済の車両１０Ａの常用ユーザによるＣ２Ｃカーシェアサービスを含む各種サービスの利用状況に関する情報（サービス利用状況情報）をセンタサーバ３０に要求する。
【０２０８】
Ｃ２Ｃカーシェア管理サーバ７０は、通信機器７１と、処理装置７２を含む。
【０２０９】
通信機器７１は、所定の通信ネットワークを通じて、携帯端末２０及びセンタサーバ３０のそれぞれと双方向で通信を行う任意のデバイスである。
【０２１０】
処理装置７２は、例えば、ＲＯＭや補助記憶装置に格納される一以上のプログラムをＣＰＵ上で実行することにより実現される機能部として、通信処理部７２１、サービス連携登録部７２２と、予約管理部７２３と、車両管理部７２４を含む。また、処理装置７２は、サーバコンピュータの補助記憶装置等の記憶領域として実現される記憶部７２０を含む。
【０２１１】
尚、貸出対象である車両１０Ａを特定する情報は、車両１０Ａの常用ユーザ（オーナユーザ）によって、既に、Ｃ２Ｃカーシェアサイトを通じて、サービスログインＩＤに紐づけられる態様で、記憶部７２０に登録（保存）済みである前提で説明を進める。
【０２１２】
通信処理部７２１は、通信機器７１を制御し、携帯端末２０及びセンタサーバ３０のそれぞれとの間で、制御信号や情報信号等の各種信号の送受信を行う。
【０２１３】
サービス連携登録部７２２は、通信処理部７２１によりセンタサーバ３０から受信されるサービス利用登録完了通知に応じて、車両１０Ａの常用ユーザのＣ２Ｃカーシェアサービスの利用に関するセンタサーバ３０とＣ２Ｃカーシェア管理サーバ７０との間での連携のための情報登録を行う。
【０２１４】
例えば、サービス連携登録部７２２は、記憶部７２０に構築されるＣ２Ｃカーシェアサイトのユーザを管理するユーザ管理ＤＢの中のサービス利用登録完了通知に含まれるサービスログインＩＤに対して、Ｃ２Ｃカーシェアサービスにおける車両１０Ａの貸主である旨のフラグを追加する。これにより、Ｃ２Ｃカーシェア管理サーバ７０は、貸主である車両１０Ａの常用ユーザに対応するサービスログインＩＤを含む認証キー手配要求をセンタサーバ３０に送信することにより、後述の如く、センタサーバ３０から借主の携帯端末２０Ａｄに認証キーを配信させることができる。
【０２１５】
予約管理部７２３は、Ｃ２Ｃカーシェアサイト等を通じて行われる車両１０Ａの利用予約を管理する。
【０２１６】
例えば、予約管理部７２３は、Ｃ２Ｃカーシェアサイト等を通じて、車両１０Ａの常用ユーザから車両１０Ａの貸し出し可能日時の登録を受け付け、受け付けられた貸し出し可能日時を記憶部７２０に登録（保存）する。このとき、予約管理部７２３は、通信処理部７２１を介して、センタサーバ３０に車用利用予定情報を問い合わせる。これにより、予約管理部７２３は、通信処理部７２１を介して、最新の車両利用予定情報を取得することができる。そのため、Ｃ２Ｃカーシェア管理サーバ７０は、例えば、車両１０Ａの常用ユーザから受け付けられた貸し出し可能日時が、既に、他の予定と重複している場合、貸し出し可能日時の変更を要求したり、受け付けられた貸し出し可能日時から重複部分を除いた分を貸し出し可能日時として登録したり等の対応を取ることができる。
【０２１７】
また、例えば、予約管理部７２３は、記憶部７２０に保存される、車両１０Ａの貸し出し可能日時の範囲内で、車両１０Ａの利用予約を受け付ける。そして、予約管理部７２３は、Ｃ２Ｃカーシェアサイトを通じて、借主であるユーザから車両１０Ａの利用予約を受け付けると、記憶部７２０に保存される車両１０Ａの貸し出し予定スケジュールに関する情報（貸出予定スケジュール情報）を更新する。
【０２１８】
また、例えば、予約管理部７２３は、通信処理部７２１により車両１０Ａの借主の携帯端末２０Ａｄから認証キー取得要求が受信された場合、正規の認証キー取得要求であるか否かを判定する。具体的には、予約管理部７２３は、認証キー取得要求に含まれる、Ｃ２ＣカーシェアサイトのサービスログインＩＤ及びパスワードや、利用予約の日時との関係（例えば、利用予約の日時の範囲内か、或いは、開始日時まで所定時間を切っているか等）に基づき、当該判定を行ってよい。予約管理部７２３は、正規の認証キー取得要求である場合、通信処理部７２１を介して、センタサーバ３０に認証キー手配要求を送信する。このとき、認証キー手配要求には、車両１０Ａの借主の携帯端末２０Ａｄを特定するための情報が含まれる。車両１０Ａの借主を特定するための情報は、例えば、車両１０Ａの借主が携帯端末２０Ａｄの認証キー取得部２３３の機能を利用するためにセンタサーバ３０におけるユーザ認証を受けるための認証用ＩＤ（以下、便宜的に「借主ＩＤ」と称する）であってよい。これにより、車両１０Ａの借主の携帯端末２０Ａｄは、センタサーバ３０から認証キーを取得できる。
【０２１９】
車両管理部７２４は、貸出対象の車両１０Ａを管理する。
【０２２０】
例えば、車両管理部７２４は、車両１０Ａの利用予約日時の前（例えば、数十分前〜直前までの期間）に、通信処理部７２１を介して、センタサーバ３０に車両１０Ａの現在の位置情報を問い合わせる。そして、車両管理部７２４は、通信処理部７２１を介して、当該問い合わせに応じてセンタサーバ３０から返信される車両１０Ａの現在の位置情報を取得する。これにより、車両１０Ａの貸し出し予定の日時（利用予約日時）の前に、指定された場所に車両１０Ａが戻っているか等を判断することができる。そのため、Ｃ２Ｃカーシェア管理サーバ７０は、車両１０Ａが指定された場所に戻っていない場合、車両１０Ａの貸主である常用ユーザに対して、電子メールや携帯端末２０Ａａ，２０Ａｂにインストールされる、Ｃ２Ｃカーシェアサイトと連携する所定のアプリを通じて、指定場所に戻るよう警告したり等の対応を取ることができる。
【０２２１】
センタサーバ３０の処理装置３２は、上述の如く、通信処理部３２１と、条件判定部３２２と、認証キー発行部３２３と、位置情報管理部３２４と、スケジュール管理部３２５と、登録管理部３２６と、記憶部３２０を含む。
【０２２２】
条件判定部３２２は、通信処理部３２１によりＣ２Ｃカーシェア管理サーバ７０から認証キー手配要求が受信された場合、正規の認証キー手配要求であるか否かを判定する。例えば、条件判定部３２２は、認証キー手配要求に含まれるサービスリンク情報（Ｃ２ＣカーシェアサイトのサービスログインＩＤ等）やＣ２Ｃカーシェア管理サーバ７０に対応する所定の認証情報（例えば、ＩＤ及びパスワード等）に基づき、正規の認証キー手配要求であるか否かを判定する。
【０２２３】
認証キー発行部３２３は、条件判定部３２２により正規の認証キー手配要求であると判定された場合、記憶部３２０のユーザ・サービス登録情報ＤＢに基づき、認証キー手配要求に対応する車両１０Ａを特定する。また、認証キー発行部３２３は、時限的（例えば、認証キー手配要求に含まれる車両１０Ａの利用予約日時とその前後のバッファ期間だけで利用可能）な認証キーを発行する。そして、認証キー発行部３２３は、通信処理部３２１を介して、認証キー手配要求で特定される車両１０Ａの借主の携帯端末２０Ａｄに認証キーを配信する。
【０２２４】
尚、Ｃ２Ｃカーシェアサービスは、例えば、車両１０Ａのトランクだけを貸し出す態様のサービス（Ｃ２Ｃトランクシェアサービス）を含んでもよい。車両トランク貸出サービスの場合、認証キー発行部３２３は、トランクリッドの施解錠だけが可能な権限が限定された認証キーを発行すればよい。これにより、Ｃ２Ｃカーシェアリングの貸出対象をトランクだけに限定できる。これにより、例えば、旅行先で貸し出されている車両１０Ａのトランクを借りて、旅行先で利用するための購入商品を、借りたトランクに配達してもらう態様のトランク配送サービスが実現されうる。
【０２２５】
位置情報管理部３２４は、通信処理部３２１によりＣ２Ｃカーシェア管理サーバ７０から受信される車両１０Ａの現在位置の問い合わせに応じて、通信処理部３２１を介して、車両１０Ａに位置情報要求を送信する。これにより、位置情報管理部３２４は、通信処理部３２１を介して、車両１０Ａから現在の位置情報を取得できる。そして、位置情報管理部３２４は、通信処理部３２１を介して、車両１０Ａから取得した現在の位置情報をＣ２Ｃカーシェア管理サーバ７０に返信する。
【０２２６】
スケジュール管理部３２５は、通信処理部３２１によりＣ２Ｃカーシェア管理サーバ７０から受信される車両１０Ａの現在位置の問い合わせに応じて、通信処理部３２１を介して、車両１０Ａに最新の車両利用予定情報を送信する。
【０２２７】
登録管理部３２６は、上述の如く、上述の如く、通信処理部３２１によりオーナユーザの携帯端末２０Ａａから受信されるユーザ登録要求に応じて、Ｃ２Ｃカーシェアサービスを含む各種サービスの利用する常用ユーザ（子ユーザ）の登録を行う。また、登録管理部３２６は、上述の如く、通信処理部３２１によりオーナユーザの携帯端末２０Ａａから受信されるサービス利用登録要求に応じて、車両１０Ａの常用ユーザによるＣ２Ｃカーシェアサービスの利用登録を行う。また、登録管理部３２６は、上述の如く、Ｃ２Ｃカーシェアサービスを含む各種サービスの利用登録が完了した場合、通信処理部３２１を介して、登録対象の常用ユーザに対応する携帯端末２０Ａａ，２０Ａｂにその旨を通知する。また、登録管理部３２６は、Ｃ２Ｃカーシェアサービスの利用登録が完了した場合、登録対象のサービスの運用管理を行う配送管理サーバに、サービスリンク情報を含むサービス利用登録完了通知を送信する。
【０２２８】
車両１０Ａの借主の携帯端末２０Ａｄの処理装置２３は、上述の如く、通信処理部２３１と、通信処理部２３２と、認証キー取得部２３３と、認証要求部２３４と、施解錠要求部２３５と、記憶部２３０を含む。
【０２２９】
認証キー取得部２３３は、車両１０Ａの借主による所定の操作に応じて、通信処理部２３２を介して、Ｃ２Ｃカーシェア管理サーバ７０に認証キー取得要求を送信する。このとき、認証キー取得要求には、車両１０Ａの借主に対応するＣ２ＣカーシェアサイトのサービスログインＩＤが含まれる。これにより、Ｃ２Ｃカーシェア管理サーバ７０は、認証キー取得要求に応じて、認証キー手配要求をセンタサーバ３０に送信し、センタサーバ３０は、認証キー手配要求に応じて、携帯端末２０Ａｄに認証キーを配信し、携帯端末２０Ａｄは、認証キーを取得することができる。よって、携帯端末２０Ａｄは、通信処理部２３１、認証要求部２３４、及び、施解錠要求部２３５の機能に基づき、車両１０Ａのドアを施錠及び解錠することができる。つまり、携帯端末２０Ａｄを所持する車両１０Ａの借主は、Ｃ２Ｃカーシェアサービスによって、車両１０Ａの常用ユーザとの間での鍵の受け渡しを行うことなく、携帯端末２０Ａｄを利用して、車両１０Ａを施錠及び解錠し、車両１０Ａを運転する等、直接的に利用することができる。また、同様に、車両１０Ａの常用ユーザは、鍵の受け渡しを行うことなく、車両１０Ａを常用ユーザ以外の他者に貸し出すことができる。そのため、認証キー管理システム１におけるＣ２Ｃカーシェアサービスによって、車両１０Ａの常用ユーザと当該常用ユーザ以外の他者との間での車両１０Ａの貸し借りにおける利便性を向上させることができる。
【０２３０】
［Ｂ２Ｃカーシェアサービスに関する構成の詳細］
次に、図６を参照して、認証キー管理システム１におけるＢ２Ｃカーシェアサービスサービスについて説明する。
【０２３１】
図６は、認証キー管理システム１におけるＢ２Ｃカーシェアサービスに関する構成の一例を中心とする図である。以下、図６について、認証キー管理システム１におけるＢ２Ｃカーシェアサービスに関する構成を中心に説明し、上述したキーシェアサービス等に関する構成と重複する構成に関する重複する説明を極力省略する。
【０２３２】
Ｂ２Ｃカーシェア管理サーバ８０は、通信機器８１と、処理装置８２を含む。
【０２３３】
通信機器８１は、所定の通信ネットワークを通じて、携帯端末２０Ｂ及びセンタサーバ３０のそれぞれと双方向で通信を行う任意のデバイスである。
【０２３４】
処理装置８２は、例えば、ＲＯＭや補助記憶装置に格納される一以上のプログラムをＣＰＵ上で実行することにより実現される機能部として、通信処理部８２１、予約管理部８２２と、車両管理部８２３を含む。また、処理装置８２は、サーバコンピュータの補助記憶装置等の記憶領域として実現される記憶部８２０を含む。
【０２３５】
通信処理部８２１は、通信機器８１を制御し、携帯端末２０Ｂ及びセンタサーバ３０のそれぞれとの間で、制御信号や情報信号等の各種信号の送受信を行う。
【０２３６】
予約管理部８２２は、Ｂ２Ｃカーシェアサイト等を通じて行われる車両１０Ｂの利用予約を管理する。
【０２３７】
例えば、予約管理部８２２は、Ｂ２Ｃカーシェア管理サーバ８０の事業者等により運営されるウェブサイト（以下、便宜的に「Ｂ２Ｃカーシェアサイト」と称する）を通じて、車両１０Ｂを借りたいユーザ（以下、「借主ユーザ」）と称するからの車両１０Ｂの利用予約を受け付ける。そして、予約管理部８２２は、受け付けられた車両１０Ａの利用予約に関する情報（利用予約情報）を記憶部８２０に保存する。このとき、利用予約情報には、例えば、対象である車両１０Ａを特定する情報、利用予約日時（開始日時及び終了日時）に関する情報、Ｂ２Ｃカーシェアサイトにおける借主ユーザのサービスログインＩＤ等が含まれる。
【０２３８】
また、例えば、予約管理部８２２は、車両１０Ｂの利用予約を受け付けるたびに、記憶部８２０に保存される、車両１０Ｂの利用スケジュールに関する情報（車両利用スケジュール情報）を更新する。これにより、Ｂ２Ｃカーシェア管理サーバ８０は、Ｂ２Ｃカーシェアサイトに、車両１０Ｂの利用スケジュールを表示させて、利用予約可能な日時を借主ユーザに提示することができる。
【０２３９】
また、例えば、予約管理部８２２は、通信処理部８２１により携帯端末２０Ｂから認証キー要求が受信された場合、正規の認証キー要求であるか否かを判定する。具体的には、予約管理部８２２は、認証キー要求に含まれる借主ユーザに対応するＢ２ＣカーシェアサイトのサービスログインＩＤ及びパスワードや、利用予約の日時との関係（例えば、利用予約日時の範囲内か、或いは、開始日時まで所定時間を切っているか等）に基づき、当該判定を行ってよい。予約管理部８２２は、正規の認証キー取得要求である場合、通信処理部８２１を介して、センタサーバ３０に認証キー手配要求を送信する。このとき、認証キー手配要求には、車両１０Ｂを借りる借主ユーザの携帯端末２０Ｂを特定するための情報が含まれる。車両１０Ｂを借りる借主ユーザを特定するための情報は、例えば、車両１０Ｂを借りる借主ユーザが携帯端末２０Ｂの認証キー取得部２３３等に対応する上記キーアプリの機能を利用するためにセンタサーバ３０におけるユーザ認証を受けるための認証用ＩＤ（以下、便宜的に「借主ユーザＩＤ」と称する）であってよい。これにより、車両１０Ｂを借りる借主ユーザの携帯端末２０Ｂは、センタサーバ３０から認証キーを取得できる。
【０２４０】
車両管理部８２３は、貸出対象の車両１０Ｂを管理する。
【０２４１】
例えば、車両管理部８２３は、ある借主ユーザの車両１０Ｂの利用予約日時の前（例えば、数十分前）に、通信処理部８２１を介して、センタサーバ３０に、利用予約で指定された場所の周辺（例えば、数百メートル以内等）に駐車されている車両１０Ｂを問い合わせる。そして、車両管理部８２３は、通信処理部８２１を介して、当該問い合わせに応じてセンタサーバ３０から返信される指定場所周辺に駐車されている車両１０Ｂの位置情報を取得する。これにより、車両管理部８２３は、当該借主の車両１０Ｂの利用開始日時の前に、指定場所周辺に駐車されている一又は複数の車両１０Ｂを特定し、どの車両１０Ｂを貸し出すか等を判断することができる。
【０２４２】
また、例えば、車両管理部８２３は、Ｂ２Ｃカーシェアサイトにおける借主ユーザによる指定エリア内の車両１０Ｂの検索要求に応じて、通信処理部８２１を介して、指定エリア内の車両１０Ｂの位置情報をセンタサーバ３０に問い合わせる。そして、車両管理部８２３は、通信処理部８２１を介して、当該問い合わせに応じてセンタサーバ３０から返信される指定エリア内の車両１０Ｂの位置情報を取得する。これにより、車両管理部８２３は、例えば、Ｂ２Ｃカーシェアサイトにおいて、指定エリア内の車両１０Ｂを直ぐ借りたい借主ユーザに対して、対象となる車両１０Ｂの位置情報を提示することができる。
【０２４３】
センタサーバ３０の処理装置３２は、上述の如く、通信処理部３２１と、条件判定部３２２と、認証キー発行部３２３と、記憶部３２０を含む。
【０２４４】
条件判定部３２２は、通信処理部３２１によりＢ２Ｃカーシェア管理サーバ８０から受信される認証キー手配要求が受信された場合、正規の認証キー手配要求であるか否かを判定する。例えば、条件判定部３２２は、認証キー手配要求に含まれる借主ユーザＩＤが記憶部３２０に登録済の認証用ＩＤであるかやＢ２Ｃカーシェア管理サーバ８０に対応する所定の認証情報（例えば、ＩＤ及びパスワード等）に基づき、正規の認証キー手配要求であるか否かを判定する。
【０２４５】
認証キー発行部３２３は、条件判定部３２２により正規の認証キー手配要求であると判定された場合、時限的（例えば、認証キー手配要求に含まれる車両１０Ｂの利用予約日時とその前後のバッファ期間だけで利用可能）な認証キーを発行する。そして、認証キー発行部３２３は、通信処理部３２１を介して、認証キー手配要求で特定される車両１０Ｂを借りる借主ユーザの携帯端末２０Ｂに認証キーを配信する。
【０２４６】
車両１０Ｂを借りる借主ユーザの携帯端末２０Ｂの処理装置２３は、上述の如く、通信処理部２３１と、通信処理部２３２と、認証キー取得部２３３と、認証要求部２３４と、施解錠要求部２３５と、記憶部２３０を含む。
【０２４７】
認証キー取得部２３３は、車両１０Ｂを借りる借主ユーザの所定の操作に応じて、通信処理部２３２を介して、Ｂ２Ｃカーシェア管理サーバ８０に認証キー取得要求を送信する。このとき、認証キー取得要求には、車両１０Ｂを借りる借主ユーザに対応するＢ２ＣカーシェアサイトのサービスログインＩＤ等が含まれる。これにより、Ｂ２Ｃカーシェア管理サーバ８０は、認証キー取得要求に応じて、認証キー手配要求をセンタサーバ３０に送信し、センタサーバ３０は、認証キー手配要求に応じて、携帯端末２０Ｂに認証キーを配信し、携帯端末２０Ｂは、認証キーを取得することができる。よって、携帯端末２０Ｂは、通信処理部２３１、認証要求部２３４、及び、施解錠要求部２３５の機能に基づき、車両１０Ｂのドアを施錠及び解錠することができる。つまり、携帯端末２０Ｂを所持する車両１０Ｂを借りる借主ユーザは、Ｂ２Ｃカーシェアサービスによって、車両１０Ｂの事業者等との間での鍵の受け渡しを行うことなく、携帯端末２０Ｂを利用して、車両１０Ｂを施錠及び解錠し、車両１０Ａを運転する等、直接的に利用することができる。そのため、認証キー管理システム１におけるＢ２Ｃカーシェアサービスによって、車両１０Ｂを借りる借主ユーザの利便性を向上させることができる。
【０２４８】
［作用］
このように、本実施形態では、認証キー発行部３２３は、携帯端末２０が車両１０に向けて所定の送信信号（認証要求等）を送信することにより車両１０を解錠又は起動させるための鍵情報（認証キー）を携帯端末２０に配信する。そして、認証キー発行部３２３は、複数の携帯端末２０のそれぞれに、利用可能な時期が重複する認証キーを配信する。具体的には、認証キー発行部３２３は、キーシェア管理部３２７から入力されるキーシェア要求において、複数の車両１０Ａの常用ユーザに対応する携帯端末２０Ａａ，Ａｂが指定されている場合、複数の携帯端末２０のそれぞれに、利用可能な期間が重複する認証キーを配信する。
【０２４９】
これにより、センタサーバ３０は、複数の携帯端末２０に一台の車両１０に対応し、且つ、利用可能な時期が重複する認証キーを配信できるため、複数の携帯端末２０のそれぞれのユーザに当該車両１０を解錠させたり、起動させたりすることができる。従って、センタサーバ３０は、複数人で一台の車両１０を同乗利用する場合等におけるユーザの利便性を向上させることができる。
【０２５０】
また、本実施形態では、認証キー発行部３２３は、複数の携帯端末２０ごとに、車両１０の解錠又は起動に関する権限が付与された認証キーを複数の携帯端末２０に配信する。
【０２５１】
これにより、センタサーバ３０は、複数の携帯端末２０ごとに、配信される認証キーの車両１０の解錠又は起動に関する権限を異ならせることができる。そのため、センタサーバ３０は、例えば、車両１０のオーナユーザの携帯端末２０には、車両１０の全てのドアの解錠及び車両１０の起動が可能な権限が付与された認証キーを配信し、それ以外のユーザの携帯端末２０には、一部のドアの解錠だけが可能な権限が付与された認証キーを付与することができる。従って、センタサーバ３０は、車両１０のセキュリティ性を維持しつつ、複数人で一台の車両１０を同乗利用する場合等の全ユーザの利便性を向上させることができる。
【０２５２】
また、本実施形態では、記憶部３２０は、複数の携帯端末２０のそれぞれのユーザに関する属性情報を記憶する。そして、認証キー発行部３２３は、複数の携帯端末２０のうち、属性情報に基づき、車両１０を運転できないと判断されるユーザの携帯端末２０に、車両１０の起動が不可能な権限が付与された認証キーを配信する。
【０２５３】
これにより、センタサーバ３０は、例えば、運転免許証の取得可能な年齢未満のユーザや運転免許証を取得していないユーザ等の携帯端末２０に、車両１０の起動が不可能な権限が付与された認証キーを配信できる。従って、センタサーバ３０は、車両１０の安全性を維持しつつ、複数人で一台の車両１０を同乗利用する場合等の全ユーザの利便性を向上させることができる。
【０２５４】
また、本実施形態では、携帯端末２０に設けられる認証キー共有装置（処理装置２３）により実行される認証キー共有方法が開示される。認証キー共有方法には、外部装置（センタサーバ３０）から配信される、車両１０に向けて所定の送信信号（認証要求等）が送信されることにより車両１０を解錠又は起動させるための認証キーを取得する認証キー取得ステップが含まれる。また、認証キー要求方法には、携帯端末２０に対するユーザの所定操作に応じて、認証キーを他の携帯端末２０に送信する、又は、外部装置から配信させる認証キー共有ステップが含まれる。
【０２５５】
これにより、認証キー共有方法を実行する携帯端末２０の処理装置２３は、センタサーバ３０からの配信により取得済みの認証キーを他の携帯端末２０に送信したり、センタサーバ３０から配信させたりすることで、一台の車両１０の認証キーを他の携帯端末２０と共有することができる。従って、携帯端末２０の処理装置２３は、複数人で一台の車両１０を同乗利用する場合等におけるユーザの利便性を向上させることができる。
【０２５６】
また、本実施形態では、認証キー共有ステップにおいて、利用可能な時間又は利用可能な回数が制限された認証キーを他の携帯端末２０に送信する、又は、外部装置から配信させる。
【０２５７】
これにより、認証キー共有方法を実行する携帯端末２０の処理装置２３は、他の携帯端末２０が取得する認証キーの利用可能な時間や利用可能な回数を制限できる。従って、当該処理装置２３は、自己が搭載される携帯端末２０に既に配信済の認証キーを他の携帯端末２０と共有する場合の車両１０のセキュリティ性を向上させることができる。
【０２５８】
また、本実施形態では、認証キー共有方法には、センタサーバ３０から携帯端末２０の現在位置の周辺において、他の携帯端末２０の候補になる候補端末に関する候補端末情報を取得する候補端末情報取得ステップが含まれる。そして、認証キー共有ステップでは、候補端末情報に基づき、候補端末の中から特定された他の携帯端末２０に外部装置から認証キーを配信させる。
【０２５９】
これにより、認証キー共有方法を実行する携帯端末２０の処理装置２３は、センタサーバ３０から携帯端末２０の周辺における認証キーを共有可能な候補端末に関する候補端末情報を取得し、候補端末の中から認証キーの共有対象である他の携帯端末２０を具体的に特定できる。従って、当該処理装置２３は、具体的に、他の携帯端末２０を指定し、センタサーバ３０に指定した他の携帯端末２０に認証キーを配信させることができる。
【０２６０】
また、本実施形態では、認証キー共有方法には、他の携帯端末２０から、外部装置で当該他の携帯端末２０を特定可能な所定の識別情報（例えば、ＱＲコード）を取得する識別情報取得ステップを含む。そして、認証キー共有ステップでは、当該識別情報に基づき、センタサーバ３０から他の携帯端末２０に認証キーを配信させてもよい。
【０２６１】
これにより、認証キー共有方法を実行する携帯端末２０の処理装置２３は、他の携帯端末２０から、センタサーバ３０で当該他の携帯端末２０を特定可能な識別情報を取得することができる。従って、当該処理装置２３は、例えば、取得した識別情報を含む配信要求をセンタサーバ３０に送信する等により、具体的に、センタサーバ３０に他の携帯端末２０を特定させ、当該他の携帯端末２０に認証キーを配信させることができる。
【０２６２】
また、本実施形態では、認証キー共有ステップにおいて、他の携帯端末２０に対応するユーザのメールアドレス、又は、所定のＳＮＳのアカウントに、センタサーバ３０から認証キーを取得するための所定のアプリを起動させる、ＵＲＬスキームによるリンク情報を送信することにより、センタサーバ３０から他の携帯端末２０に認証キーを配信させる。
【０２６３】
これにより、認証キー共有方法を実行する携帯端末２０の処理装置２３は、ユーザによる複雑な操作を要することなく、容易に、他の携帯端末２０に認証キーを取得させることができる。
【０２６４】
以上、本発明を実施するための形態について詳述したが、本発明はかかる特定の実施形態に限定されるものではなく、特許請求の範囲に記載された本発明の要旨の範囲内において、種々の変形・変更が可能である。
【０２６５】
例えば、上述した実施形態では、携帯端末２０が認証キーを含む認証要求をキーユニット１２に送信し、キーユニット１２が認証キーに基づく認証結果に応じて、施解錠・起動装置１１との間での信号のやり取りを行い、施解錠・起動装置１１による車両１０Ａのドアの施解錠及び車両１０Ａの起動が実現されるが、当該態様には限定されない。
【０２６６】
具体的には、携帯端末２０にキーユニット１２の機能が移管され、携帯端末２０は、ＬＦ電波及びＲＦ電波による車両１０（施解錠・起動装置１１）との間で、上述の鍵情報（内部鍵情報）に基づく信号のやり取りを行うことにより、施解錠・起動装置１１による車両１０Ａのドアの施解錠及び車両１０Ａの起動が実現される構成であってもよい。この場合、上述した実施形態の「認証キー」は、「鍵情報」に読み替えられるとよい。つまり、センタサーバ３０は、上述した実施形態における認証キーと同様の方法で、認証キーの代わりに、鍵情報を発行し、携帯端末２０に配信してよい。これにより、上述した実施形態と同様の作用・効果を奏する。
【０２６７】
また、施解錠・起動装置１１に、キーユニット１２の機能を統合し、施解錠・起動装置１１とキーユニット１２との間での通信及び該通信に係る認証に関する構成（ＬＦ電波送信機１１１、ＲＦ電波受信機１１２、照合ＥＣＵ１１３、ＬＦ電波受信機１２１、ＲＦ電波送信機１２２）を省略してもよい。この場合、キーＥＣＵ１２４は、認証キーに基づく携帯端末２０の認証が成功した場合、照合ＥＣＵ１１３の代わりに、直接、ボディＥＣＵ１１４及びエンジンＥＣＵ１１６のそれぞれに解錠指令或いは施錠指令及び起動指令を出力し、車両１０のドアの施解錠及び車両１０の起動を行わせてよい。これにより、上述した実施形態と同様の作用・効果を奏する。
【符号の説明】
【０２６８】
１  認証キー管理システム
１０  車両
１１  施解錠・起動装置
１２  キーユニット
１３  ＧＰＳモジュール
１４  ＤＣＭ
２０，２０Ａａ，２０Ａｂ，２０Ａｃ，２０Ａｄ，２０Ｂ  携帯端末
２１  通信機器
２２  通信機器
２３  処理装置（鍵情報共有装置、情報処理装置）
２４  タッチパネルディスプレイ
３０  センタサーバ（鍵情報管理装置）
３１  通信機器
３２  処理装置（情報処理装置）
４０  サービス管理サーバ
５０  配送管理サーバ
５１  通信機器
５２  処理装置
６０  ＥＣサーバ
６１  通信機器
６２  処理装置
７０  Ｃ２Ｃカーシェア管理サーバ
７１  通信機器
７２  処理装置
８０  Ｂ２Ｃカーシェア管理サーバ
８１  通信機器
８２  処理装置
１１１  ＬＦ電波送信機
１１２  ＲＦ電波受信機
１１３  照合ＥＣＵ
１１４  ボディＥＣＵ
１１５  ドアロックモータ
１１６  エンジンＥＣＵ
１１７  エンジン
１２１  ＬＦ電波受信機
１２２  ＲＦ電波送信機
１２３  通信機器
１２４  キーＥＣＵ
２３０  記憶部
２３１  通信処理部
２３２  通信処理部
２３３  認証キー取得部
２３４  認証要求部
２３５  施解錠要求部
２３６  ユーザ登録要求部
２３７  サービス利用登録要求部
２３８  サービス利用状況要求部
２３９  キーシェア要求部
３２０  記憶部
３２１  通信処理部
３２２  条件判定部
３２３  認証キー発行部（鍵情報配信部）
３２４  位置情報管理部
３２５  スケジュール管理部
３２６  登録管理部
３２７  キーシェア管理部
５２０  記憶部
５２１  通信処理部
５２２  サービス連携登録部
５２３  配送受付部
５２４  配送管理部
６２０  記憶部
６２１  通信処理部
６２２  ウェブリソース送信部
６２３  サービス連携登録部
６２４  注文受付処理部
７２０  記憶部
７２１  通信処理部
７２２  サービス連携登録部
７２３  予約管理部
７２４  車両管理部
８２０  記憶部
８２１  通信処理部
８２２  予約管理部
８２３  車両管理部
【図１】
2019078072.tif 000003
【図２】
2019078072.tif 000004
【図３】
2019078072.tif 000005
【図４】
2019078072.tif 000006
【図５】
2019078072.tif 000007
【図６】
2019078072.tif 000008
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
携帯端末が車両に向けて所定の送信信号を送信することにより前記車両を解錠又は起動させるための鍵情報を携帯端末に配信する鍵情報配信部を備え、
前記鍵情報配信部は、複数の携帯端末のそれぞれに、利用可能な時期が重複する前記鍵情報を配信する、
情報処理装置。
【請求項２】
前記鍵情報配信部は、前記鍵情報を前記複数の携帯端末のそれぞれに配信するように要求する要求信号が受信された場合、前記要求信号で指定される利用可能な期間若しくは回数に関する権限、又は、前記車両の解錠若しくは起動に関する権限が付与された前記鍵情報を前記複数の携帯端末に配信する、
請求項１に記載の情報処理装置。
【請求項３】
前記複数の携帯端末のそれぞれのユーザに関する属性情報を記憶する記憶部を備え、
前記鍵情報配信部は、前記複数の携帯端末のうち、前記属性情報に基づき、前記車両を運転できないと判断されるユーザの携帯端末に、前記車両の起動が不可能な権限が付与された前記鍵情報を配信する、
請求項１又は２に記載の情報処理装置。
【請求項４】
情報処理装置が実行する情報処理方法であって、
携帯端末が車両に向けて所定の送信信号を送信することにより前記車両を解錠又は起動させるための鍵情報を携帯端末に配信する鍵情報配信ステップを含み、
前記鍵情報配信ステップでは、複数の携帯端末のそれぞれに、利用可能な時期が重複する前記鍵情報を配信する、
情報処理方法。
【請求項５】
情報処理装置に、
携帯端末が車両に向けて所定の送信信号を送信することにより前記車両を解錠又は起動させるための鍵情報を携帯端末に配信する鍵情報配信ステップであって、複数の携帯端末のそれぞれに、利用可能な時期が重複する前記鍵情報を配信する鍵情報配信ステップを、実行させる、
プログラム。
【請求項６】
携帯端末に設けられる情報処理装置により実行される情報処理方法であって、
外部装置から配信される、車両に向けて所定の送信信号を送信することにより前記車両を解錠又は起動させるための鍵情報を、前記携帯端末に対するユーザの所定操作に応じて、他の携帯端末に送信する、又は、前記外部装置から配信させる鍵情報共有ステップを含む、
情報処理方法。
【請求項７】
前記鍵情報共有ステップでは、利用可能な時間又は利用可能な回数が制限された前記鍵情報を前記他の携帯端末に送信する、又は、前記外部装置から配信させる、
請求項６に記載の情報処理方法。
【請求項８】
前記携帯端末の現在位置の周辺において、前記他の携帯端末の候補になる候補端末に関する候補端末情報を前記外部装置から取得する候補端末情報取得ステップを更に含み、
前記鍵情報共有ステップでは、前記候補端末情報に基づき、前記候補端末の中から特定された前記他の携帯端末に前記外部装置から前記鍵情報を配信させる、
請求項６又は７に記載の情報処理方法。
【請求項９】
前記他の携帯端末から所定の識別情報を取得する識別情報取得ステップを更に含み、
前記鍵情報共有ステップでは、前記識別情報に基づき、前記外部装置から前記他の携帯端末に前記鍵情報を配信させる、
請求項６乃至８の何れか一項に記載の情報処理方法。
【請求項１０】
前記鍵情報共有ステップでは、前記他の携帯端末に対応するユーザのメールアドレス、又は、所定のソーシャルネットワーキングサービスのアカウントに、前記外部装置から前記鍵情報を取得するための所定のアプリを起動させるリンク情報を送信することにより、前記外部装置から前記他の携帯端末に前記鍵情報を配信させる、
請求項６乃至９の何れか一項に記載の情報処理方法。
【請求項１１】
携帯端末に設けられる情報処理装置に、
外部装置から配信される、車両に向けて所定の送信信号を送信することにより前記車両を解錠又は起動させるための鍵情報を、前記携帯端末に対するユーザの所定操作に応じて、他の携帯端末に送信する、又は、前記外部装置から配信させる鍵情報共有ステップを実行させる、
プログラム。
【手続補正３】
【補正対象書類名】明細書
【補正対象項目名】０００１
【補正方法】変更
【補正の内容】
【０００１】
本発明は、情報処理装置等に関する。
【手続補正４】
【補正対象書類名】明細書
【補正対象項目名】０００５
【補正方法】変更
【補正の内容】
【０００５】
そこで、上記課題に鑑み、複数人で一台の車両を同乗利用する場合等におけるユーザの利便性を向上させることが可能な情報処理装置等を提供することを目的とする。
【手続補正５】
【補正対象書類名】明細書
【補正対象項目名】０００６
【補正方法】変更
【補正の内容】
【０００６】
上記目的を達成するため、本発明の一実施形態では、
携帯端末が車両に向けて所定の送信信号を送信することにより前記車両を解錠又は起動させるための鍵情報を携帯端末に配信する鍵情報配信部を備え、
前記鍵情報配信部は、複数の携帯端末のそれぞれに、利用可能な時期が重複する前記鍵情報を配信する、
情報処理装置が提供される。
【手続補正６】
【補正対象書類名】明細書
【補正対象項目名】０００８
【補正方法】変更
【補正の内容】
【０００８】
また、上述した実施形態において、
前記鍵情報配信部は、前記鍵情報を前記複数の携帯端末のそれぞれに配信するように要求する要求信号が受信された場合、前記要求信号で指定される利用可能な期間若しくは回数に関する権限、又は、前記車両の解錠若しくは起動に関する権限が付与された前記鍵情報を前記複数の携帯端末に配信してもよい。
【手続補正７】
【補正対象書類名】明細書
【補正対象項目名】００１２
【補正方法】変更
【補正の内容】
【００１２】
また、本発明の他の実施形態は、同様の情報処理方法及びプログラムにより実現されうる。
【手続補正８】
【補正対象書類名】明細書
【補正対象項目名】００１３
【補正方法】変更
【補正の内容】
【００１３】
また、本発明の更に他の実施形態では、
携帯端末に設けられる情報処理装置により実行される情報処理方法であって、
外部装置から配信される、車両に向けて所定の送信信号を送信することにより前記車両を解錠又は起動させるための鍵情報を、前記携帯端末に対するユーザの所定操作に応じて、他の携帯端末に送信する、又は、前記外部装置から配信させる鍵情報共有ステップを含む、
情報処理方法が提供される。
【手続補正９】
【補正対象書類名】明細書
【補正対象項目名】００１４
【補正方法】変更
【補正の内容】
【００１４】
本実施形態によれば、情報処理方法を実行する携帯端末の情報処理装置は、外部装置からの配信により取得済みの鍵情報を他の携帯端末に送信したり、外部装置から配信させたりすることで、一台の車両の鍵情報を他の携帯端末と共有することができる。従って、当該情報処理装置は、複数人で一台の車両を同乗利用する場合等におけるユーザの利便性を向上させることができる。
【手続補正１０】
【補正対象書類名】明細書
【補正対象項目名】００１６
【補正方法】変更
【補正の内容】
【００１６】
本実施形態によれば、情報処理方法を実行する携帯端末の情報処理装置は、他の携帯端末が取得する鍵情報の利用可能な時間や利用可能な回数を制限できる。従って、当該情報処理装置は、自己が搭載される携帯端末に既に配信済の鍵情報を他の携帯端末と共有する場合の車両のセキュリティ性を向上させることができる。
【手続補正１１】
【補正対象書類名】明細書
【補正対象項目名】００１７
【補正方法】変更
【補正の内容】
【００１７】
また、上述した実施形態において、
前記携帯端末の現在位置の周辺において、前記他の携帯端末の候補になる候補端末に関する候補端末情報を前記外部装置から取得する候補端末情報取得ステップを更に含み、
前記鍵情報共有ステップでは、前記候補端末情報に基づき、前記候補端末の中から特定された前記他の携帯端末に前記外部装置から前記鍵情報を配信させてもよい。
【手続補正１２】
【補正対象書類名】明細書
【補正対象項目名】００１８
【補正方法】変更
【補正の内容】
【００１８】
本実施形態によれば、情報処理方法を実行する携帯端末の情報処理装置は、外部装置から携帯端末の周辺における鍵情報を共有可能な候補端末に関する候補端末情報を取得し、候補端末の中から鍵情報の共有対象である他の携帯端末を具体的に特定できる。従って、当該情報処理装置は、具体的に、他の携帯端末を指定し、前記外部装置に指定した他の携帯端末に鍵情報を配信させることができる。
【手続補正１３】
【補正対象書類名】明細書
【補正対象項目名】００２０
【補正方法】変更
【補正の内容】
【００２０】
本実施形態によれば、情報処理方法を実行する携帯端末の情報処理装置は、他の携帯端末から、外部装置で当該他の携帯端末を特定可能な識別情報を取得することができる。従って、当該情報処理装置は、例えば、取得した識別情報を含む配信要求を外部装置に送信する等により、具体的に、外部装置に他の携帯端末を特定させ、当該他の携帯端末に鍵情報を配信させることができる。
【手続補正１４】
【補正対象書類名】明細書
【補正対象項目名】００２１
【補正方法】変更
【補正の内容】
【００２１】
また、上述した実施形態において、
前記鍵情報共有ステップでは、前記他の携帯端末に対応するユーザのメールアドレス、又は、所定のソーシャルネットワーキングサービスのアカウントに、前記外部装置から前記鍵情報を取得するための所定のアプリを起動させるリンク情報を送信することにより、前記外部装置から前記他の携帯端末に前記鍵情報を配信させてもよい。
【手続補正１５】
【補正対象書類名】明細書
【補正対象項目名】００２２
【補正方法】変更
【補正の内容】
【００２２】
本実施形態によれば、情報処理方法を実行する携帯端末の情報処理装置は、ユーザによる複雑な操作を要することなく、容易に、他の携帯端末に鍵情報を取得させることができる。
【手続補正１６】
【補正対象書類名】明細書
【補正対象項目名】００２３
【補正方法】変更
【補正の内容】
【００２３】
また、本発明の更に他の実施形態は、同様のプログラムにより実現されうる。
【手続補正１７】
【補正対象書類名】明細書
【補正対象項目名】００２４
【補正方法】変更
【補正の内容】
【００２４】
上述の実施形態によれば、複数人で一台の車両を同乗利用する場合等におけるユーザの利便性を向上させることが可能な情報処理装置等を提供することができる。
【手続補正１８】
【補正対象書類名】明細書
【補正対象項目名】００４０
【補正方法】変更
【補正の内容】
【００４０】
センタサーバ３０（情報処理装置の一例）は、車両１０の認証キーの発行を管理する。例えば、センタサーバ３０は、所定の条件に応じて、認証キーを発行し、携帯端末２０に配信する。
【手続補正１９】
【補正対象書類名】明細書
【補正対象項目名】０１１０
【補正方法】変更
【補正の内容】
【０１１０】
処理装置３２は、センタサーバ３０における各種制御処理を行う。処理装置３２は、その機能が任意のハードウェア、ソフトウェア、或いは、これらの組み合わせにより実現されてよく、例えば、ＣＰＵと、ＲＡＭと、ＲＯＭと、補助記憶装置と、ＲＴＣと、所定の通信インターフェース等を含む一又は複数のサーバコンピュータを中心に構成される。以下、配送管理サーバ５０、ＥＣサーバ６０、Ｃ２Ｃカーシェア管理サーバ７０、及び、Ｂ２Ｃカーシェア管理サーバ８０の後述する処理装置５２，６２，７２，８２についても同様である。処理装置３２は、例えば、ＲＯＭや補助記憶装置に保存される一以上のプログラムをＣＰＵ上で実行することにより実現される機能部として、通信処理部３２１と、条件判定部３２２と、認証キー発行部３２３を含む。また、処理装置３２は、例えば、サーバコンピュータの補助記憶装置やサーバコンピュータに接続される外部記憶装置等に規定される記憶領域として実現される記憶部３２０を含み、記憶部３２０に各種データが保存（記憶）される処理は、ＲＯＭや補助記憶装置に格納されるプログラムにより実現される。以下、後述する記憶部５２０，６２０，７２０，８２０についても同様である。
【手続補正２０】
【補正対象書類名】明細書
【補正対象項目名】０１１６
【補正方法】変更
【補正の内容】
【０１１６】
車両１０Ａのオーナユーザが所持する携帯端末２０Ａａの処理装置２３は、上述の如く、通信処理部２３１と、通信処理部２３２と、認証キー取得部２３３と、認証要求部２３４と、施解錠要求部２３５を含む。また、携帯端末２０Ａａの処理装置２３（携帯端末に設けられる情報処理装置の一例）は、更に、ＲＯＭや補助記憶装置に格納される一以上のプログラムをＣＰＵ上で実行することにより実現される機能部として、ユーザ登録要求部２３６と、サービス利用登録要求部２３７と、サービス利用状況要求部２３８と、キーシェア要求部２３９を含む。
【手続補正２１】
【補正対象書類名】明細書
【補正対象項目名】０２６８
【補正方法】変更
【補正の内容】
【０２６８】
１  認証キー管理システム
１０  車両
１１  施解錠・起動装置
１２  キーユニット
１３  ＧＰＳモジュール
１４  ＤＣＭ
２０，２０Ａａ，２０Ａｂ，２０Ａｃ，２０Ａｄ，２０Ｂ  携帯端末
２１  通信機器
２２  通信機器
２３  処理装置（携帯端末に設けられる情報処理装置）
２４  タッチパネルディスプレイ
３０  センタサーバ（情報処理装置）
３１  通信機器
３２  処理装置
４０  サービス管理サーバ
５０  配送管理サーバ
５１  通信機器
５２  処理装置
６０  ＥＣサーバ
６１  通信機器
６２  処理装置
７０  Ｃ２Ｃカーシェア管理サーバ
７１  通信機器
７２  処理装置
８０  Ｂ２Ｃカーシェア管理サーバ
８１  通信機器
８２  処理装置
１１１  ＬＦ電波送信機
１１２  ＲＦ電波受信機
１１３  照合ＥＣＵ
１１４  ボディＥＣＵ
１１５  ドアロックモータ
１１６  エンジンＥＣＵ
１１７  エンジン
１２１  ＬＦ電波受信機
１２２  ＲＦ電波送信機
１２３  通信機器
１２４  キーＥＣＵ
２３０  記憶部
２３１  通信処理部
２３２  通信処理部
２３３  認証キー取得部
２３４  認証要求部
２３５  施解錠要求部
２３６  ユーザ登録要求部
２３７  サービス利用登録要求部
２３８  サービス利用状況要求部
２３９  キーシェア要求部
３２０  記憶部
３２１  通信処理部
３２２  条件判定部
３２３  認証キー発行部（鍵情報配信部）
３２４  位置情報管理部
３２５  スケジュール管理部
３２６  登録管理部
３２７  キーシェア管理部
５２０  記憶部
５２１  通信処理部
５２２  サービス連携登録部
５２３  配送受付部
５２４  配送管理部
６２０  記憶部
６２１  通信処理部
６２２  ウェブリソース送信部
６２３  サービス連携登録部
６２４  注文受付処理部
７２０  記憶部
７２１  通信処理部
７２２  サービス連携登録部
７２３  予約管理部
７２４  車両管理部
８２０  記憶部
８２１  通信処理部
８２２  予約管理部
８２３  車両管理部
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
携帯端末が車両を解錠又は起動させるために前記車両に向けて送信する鍵情報の利用可能な期間を前記車両で読み取ることができるように規定した前記鍵情報を生成することにより、又は、前記車両からの前記鍵情報の利用可能な期間に関する問い合わせに応答するための情報であって、前記鍵情報に対応する識別情報と前記鍵情報の利用可能な期間との対応関係を示す情報を生成することにより、前記鍵情報の利用可能な期間を制限する制限部と、
前記鍵情報を携帯端末に配信する鍵情報配信部と、を備え、
前記鍵情報配信部は、ユーザ端末を通じた前記車両のオーナユーザからの要求に応じて、配信対象の複数の携帯端末のそれぞれに、前記要求で指定される利用可能な期間が重複する前記鍵情報を配信する、
情報処理装置。
【請求項２】
前記制限部は、前記鍵情報の利用可能な期間を含む前記鍵情報の権限を前記車両で読み取ることができるように規定した前記鍵情報を生成することにより、又は、前記車両からの前記鍵情報の前記権限に関する問い合わせに対応するための前記情報であって、前記鍵情報に対応する前記識別情報と前記鍵情報の前記権限の内容との対応関係を示す前記情報を生成することにより、前記鍵情報に権限を付与し、
前記鍵情報配信部は、前記要求に応じて、前記要求で指定される利用可能な回数に関する前記権限、又は、前記車両の解錠若しくは起動に関する前記権限が付与された前記鍵情報を前記複数の携帯端末に配信する、
請求項１に記載の情報処理装置。
【請求項３】
前記複数の携帯端末のそれぞれのユーザに関する属性情報を記憶する記憶部を備え、
前記鍵情報配信部は、前記属性情報に基づき、前記複数の携帯端末のうちの前記車両を運転できないと判断されるユーザの携帯端末に、前記車両の起動が不可能な前記権限が付与された前記鍵情報を配信する、
請求項２に記載の情報処理装置。
【請求項４】
情報処理装置が実行する情報処理方法であって、
携帯端末が車両を解錠又は起動させるために前記車両に向けて送信する鍵情報の利用可能な期間を前記車両で読み取ることができるように規定した前記鍵情報を生成することにより、又は、前記車両からの前記鍵情報の利用可能な期間に関する問い合わせに応答するための情報であって、前記鍵情報に対応する識別情報と前記鍵情報の利用可能な期間との対応関係を示す情報を生成することにより、前記鍵情報の利用可能な期間を制限する制限ステップと、
前記鍵情報を携帯端末に配信する鍵情報配信ステップと、を含み、
前記鍵情報配信ステップでは、ユーザ端末を通じた前記車両のオーナユーザからの要求に応じて、配信対象の複数の携帯端末のそれぞれに、前記要求で指定される利用可能な期間が重複する前記鍵情報を配信する、
情報処理方法。
【請求項５】
情報処理装置に、
携帯端末が車両を解錠又は起動させるために前記車両に向けて送信する鍵情報の利用可能な期間を前記車両で読み取ることができるように規定した前記鍵情報を生成することにより、又は、前記車両からの前記鍵情報の利用可能な期間に関する問い合わせに応答するための情報であって、前記鍵情報に対応する識別情報と前記鍵情報の利用可能な期間との対応関係を示す情報を生成することにより、前記鍵情報の利用可能な期間を制限する制限ステップと、
前記鍵情報を携帯端末に配信する鍵情報配信ステップと、を実行させるプログラムであって、
前記鍵情報配信ステップでは、ユーザ端末を通じた前記車両のオーナユーザからの要求に応じて、配信対象の複数の携帯端末のそれぞれに、前記要求で指定される利用可能な期間が重複する前記鍵情報を配信する、
プログラム。
【請求項６】
携帯端末により実行される情報処理方法であって、
外部装置から配信される、車両を解錠又は起動させるために前記車両に向けて送信する鍵情報を受信する受信ステップと、
前記携帯端末に対するユーザの所定操作に応じて、前記鍵情報を利用可能な他の携帯端末との間の通信を確立し、前記鍵情報を前記携帯端末に保持した状態で、前記鍵情報を送信する、又は、要求信号を前記外部装置に送信することにより、前記鍵情報を前記携帯端末に保持した状態で、前記鍵情報を利用可能な他の携帯端末に向けて前記外部装置から前記鍵情報を配信させる鍵情報共有ステップと、を含む、
情報処理方法。
【請求項７】
前記鍵情報共有ステップでは、利用可能な期間又は利用可能な回数が制限された前記鍵情報を前記他の携帯端末に送信する、又は、前記外部装置から前記他の携帯端末に向けて配信させる、
請求項６に記載の情報処理方法。
【請求項８】
前記携帯端末の現在位置の周辺において、前記他の携帯端末の候補になる候補端末に関する候補端末情報を前記外部装置から取得する候補端末情報取得ステップを更に含み、
前記鍵情報共有ステップでは、前記候補端末情報に基づき、前記候補端末の中から特定された前記他の携帯端末に向けて前記外部装置から前記鍵情報を配信させる、
請求項６又は７に記載の情報処理方法。
【請求項９】
前記他の携帯端末から所定の識別情報を取得する識別情報取得ステップを更に含み、
前記鍵情報共有ステップでは、前記識別情報に基づき、前記外部装置から前記他の携帯端末に向けて前記鍵情報を配信させる、
請求項６乃至８の何れか一項に記載の情報処理方法。
【請求項１０】
前記鍵情報共有ステップでは、前記他の携帯端末に対応するユーザのメールアドレス、又は、所定のソーシャルネットワーキングサービスのアカウントに、前記外部装置から前記鍵情報を取得するための所定のアプリを起動させるリンク情報を送信することにより、前記外部装置から前記他の携帯端末に向けて前記鍵情報を配信させる、
請求項６乃至９の何れか一項に記載の情報処理方法。
【請求項１１】
携帯端末に、
外部装置から配信される、車両を解錠又は起動させるために前記車両に向けて送信する鍵情報を受信する受信ステップと、
前記携帯端末に対するユーザの所定操作に応じて、前記鍵情報を利用可能な他の携帯端末との間の通信を確立し、前記鍵情報を前記携帯端末に保持した状態で、前記鍵情報を送信する、又は、要求信号を前記外部装置に送信することにより、前記鍵情報を前記携帯端末に保持した状態で、前記鍵情報を利用可能な他の携帯端末に前記外部装置から前記鍵情報を配信させる鍵情報共有ステップと、を実行させる、
プログラム。
【手続補正２】
【補正対象書類名】明細書
【補正対象項目名】０００６
【補正方法】変更
【補正の内容】
【０００６】
上記目的を達成するため、本発明の一実施形態では、
携帯端末が車両を解錠又は起動させるために前記車両に向けて送信する鍵情報の利用可能な期間を前記車両で読み取ることができるように規定した前記鍵情報を生成することにより、又は、前記車両からの前記鍵情報の利用可能な期間に関する問い合わせに応答するための情報であって、前記鍵情報に対応する識別情報と前記鍵情報の利用可能な期間との対応関係を示す情報を生成することにより、前記鍵情報の利用可能な期間を制限する制限部と、
前記鍵情報を携帯端末に配信する鍵情報配信部と、を備え、
前記鍵情報配信部は、ユーザ端末を通じた前記車両のオーナユーザからの要求に応じて、配信対象の複数の携帯端末のそれぞれに、前記要求で指定される利用可能な期間が重複する前記鍵情報を配信する、
情報処理装置が提供される。
【手続補正３】
【補正対象書類名】明細書
【補正対象項目名】０００８
【補正方法】変更
【補正の内容】
【０００８】
また、上述した実施形態において、
前記制限部は、前記鍵情報の利用可能な期間を含む前記鍵情報の権限を、前記車両で読み取ることができるように規定した前記鍵情報を生成することにより、又は、前記車両からの前記鍵情報の前記権限に関する問い合わせに対応するための前記情報であって、前記鍵情報に対応する前記識別情報と前記鍵情報の前記権限の内容との対応関係を示す前記情報を生成することにより、前記鍵情報に権限を付与し、
前記鍵情報配信部は、前記要求に応じて、前記要求で指定される利用可能な回数に関する前記権限、又は、前記車両の解錠若しくは起動に関する前記権限が付与された前記鍵情報を前記複数の携帯端末に配信してもよい。
【手続補正４】
【補正対象書類名】明細書
【補正対象項目名】００１０
【補正方法】変更
【補正の内容】
【００１０】
また、上述した実施形態において、
前記複数の携帯端末のそれぞれのユーザに関する属性情報を記憶する記憶部を備え、
前記鍵情報配信部は、前記属性情報に基づき、前記複数の携帯端末のうちの前記車両を運転できないと判断されるユーザの携帯端末に、前記車両の起動が不可能な前記権限が付与された前記鍵情報を配信してもよい。
【手続補正５】
【補正対象書類名】明細書
【補正対象項目名】００１３
【補正方法】変更
【補正の内容】
【００１３】
また、本発明の更に他の実施形態では、
携帯端末により実行される情報処理方法であって、
外部装置から配信される、車両を解錠又は起動させるために前記車両に向けて送信する鍵情報を受信する受信ステップと、
前記携帯端末に対するユーザの所定操作に応じて、前記鍵情報を利用可能な他の携帯端末との間の通信を確立し、前記鍵情報を前記携帯端末に保持した状態で、前記鍵情報を送信する、又は、要求信号を前記外部装置に送信することにより、前記鍵情報を前記携帯端末に保持した状態で、前記鍵情報を利用可能な他の携帯端末に向けて前記外部装置から前記鍵情報を配信させる鍵情報共有ステップと、を含む、
情報処理方法が提供される。
【手続補正６】
【補正対象書類名】明細書
【補正対象項目名】００１５
【補正方法】変更
【補正の内容】
【００１５】
また、上述した実施形態において、
前記鍵情報共有ステップでは、利用可能な時間又は利用可能な回数が制限された前記鍵情報を前記他の携帯端末に送信する、又は、前記外部装置から前記他の携帯端末に向けて配信させてもよい。
【手続補正７】
【補正対象書類名】明細書
【補正対象項目名】００１７
【補正方法】変更
【補正の内容】
【００１７】
また、上述した実施形態において、
前記携帯端末の現在位置の周辺において、前記他の携帯端末の候補になる候補端末に関する候補端末情報を前記外部装置から取得する候補端末情報取得ステップを更に含み、
前記鍵情報共有ステップでは、前記候補端末情報に基づき、前記候補端末の中から特定された前記他の携帯端末に向けて前記外部装置から前記鍵情報を配信させてもよい。
【手続補正８】
【補正対象書類名】明細書
【補正対象項目名】００１９
【補正方法】変更
【補正の内容】
【００１９】
また、上述した実施形態において、
前記他の携帯端末から所定の識別情報を取得する識別情報取得ステップを更に含み、
前記鍵情報共有ステップでは、前記識別情報に基づき、前記外部装置から前記他の携帯端末に向けて前記鍵情報を配信させてもよい。
【手続補正９】
【補正対象書類名】明細書
【補正対象項目名】００２１
【補正方法】変更
【補正の内容】
【００２１】
また、上述した実施形態において、
前記鍵情報共有ステップでは、前記他の携帯端末に対応するユーザのメールアドレス、又は、所定のソーシャルネットワーキングサービスのアカウントに、前記外部装置から前記鍵情報を取得するための所定のアプリを起動させるリンク情報を送信することにより、前記外部装置から前記他の携帯端末に向けて前記鍵情報を配信させてもよい。